(57)【要約】  超高スループット信号フィールドＢ（ＶＨＴ−ＳＩＧ−Ｂ）を送信するための通信デバイスについて説明する。本通信デバイスは、プロセッサと、プロセッサと電子通信しているメモリに記憶された命令とを含む。本通信デバイスは、少なくとも２０個の信号ビットと６つのテールビットとをＶＨＴ−ＳＩＧ−Ｂのために割り振る。本通信デバイスはまた、超高スループットロングトレーニングフィールド（ＶＨＴ−ＬＴＦ）とデータフィールドとのためのサブキャリアの数と同じ数のサブキャリアをＶＨＴ−ＳＩＧ−Ｂのために使用する。本通信デバイスはさらに、データフィールドのためのパイロットマッピングと同じパイロットマッピングをＶＨＴ−ＳＩＧ−Ｂのために適用する。本通信デバイスはさらに、ＶＨＴ−ＳＩＧ−Ｂを送信する。
2013535144.tif 000002
【特許請求の範囲】
【請求項１】
プロセッサと、
前記プロセッサと電子通信しているメモリと、
前記メモリに記憶された命令と
を備える、超高スループット信号フィールドＢ（ＶＨＴ−ＳＩＧ−Ｂ）を送信するための通信デバイスであって、前記命令は、
少なくとも２０個の信号ビットと６つのテールビットとをＶＨＴ−ＳＩＧ−Ｂのために割り振ることと、
超高スループットロングトレーニングフィールド（ＶＨＴ−ＬＴＦ）とデータフィールドとのためのサブキャリアの数と同じ数のサブキャリアを前記ＶＨＴ−ＳＩＧ−Ｂのために使用することと、
前記データフィールドのためのパイロットマッピングと同じパイロットマッピングを前記ＶＨＴ−ＳＩＧ−Ｂのために適用することと、
前記ＶＨＴ−ＳＩＧ−Ｂを送信することと
を行うように実行可能である、通信デバイス。
【請求項２】
前記命令は、送信帯域幅が２０ＭＨｚである場合、２０個の信号ビットと６つのテールビットとを前記ＶＨＴ−ＳＩＧ−Ｂのために割り振るようにさらに実行可能である、請求項１に記載の通信デバイス。
【請求項３】
送信帯域幅が４０ＭＨｚである場合、前記命令が、
２０個の信号ビットと１つの予約済みビットと６つのテールビットとのセットを前記ＶＨＴ−ＳＩＧ−Ｂのために割り振ることと、
前記ＶＨＴ−ＳＩＧ−Ｂのために前記セットを繰り返すことと
を行うようにさらに実行可能である、請求項１に記載の通信デバイス。
【請求項４】
送信帯域幅が８０ＭＨｚである場合、前記命令が、
２０個の信号ビットと３つの予約済みビットと６つのテールビットとのセットを前記ＶＨＴ−ＳＩＧ−Ｂのために割り振ることと、
前記ＶＨＴ−ＳＩＧ−Ｂのために前記セットを３回繰り返すことと
を行うようにさらに実行可能である、請求項１に記載の通信デバイス。
【請求項５】
送信帯域幅が１６０ＭＨｚである場合、前記命令が、
２０個の信号ビットと３つの予約済みビットと６つのテールビットとのセットの４つのコピーを備えるビットのグループを、前記ＶＨＴ−ＳＩＧ−Ｂのために割り振ることと、
前記ＶＨＴ−ＳＩＧ−Ｂのためにビットの前記グループを繰り返すことと
を行うようにさらに実行可能である、請求項１に記載の通信デバイス。
【請求項６】
前記命令は、送信帯域幅が１６０ＭＨｚである場合、前記ＶＨＴ−ＳＩＧ−Ｂのために別のフォーマットを使用するようにさらに実行可能である、請求項１に記載の通信デバイス。
【請求項７】
前記命令が、別の通信デバイスのための前記データフィールド中の時空間ストリームの数と同じ数の時空間ストリーム上に前記ＶＨＴ−ＳＩＧ−Ｂをコピーするようにさらに実行可能である、請求項１に記載の通信デバイス。
【請求項８】
前記命令が、パケット中のガードインターバルと同じガードインターバルを前記ＶＨＴ−ＳＩＧ−Ｂに適用するようにさらに実行可能である、請求項１に記載の通信デバイス。
【請求項９】
前記通信デバイスが、アクセスポイントとアクセス端末とからなるグループから選択された通信デバイスである、請求項１に記載の通信デバイス。
【請求項１０】
プロセッサと、
前記プロセッサと電子通信しているメモリと、
前記メモリに記憶された命令と
を備える、超高スループット信号フィールドＢ（ＶＨＴ−ＳＩＧ−Ｂ）を受信するための通信デバイスであって、前記命令は、
ある数の時空間ストリーム上でＶＨＴ−ＳＩＧ−Ｂを受信することであって、前記ＶＨＴ−ＳＩＧ−Ｂが少なくとも２０個の信号ビットと６つのテールビットとを備え、前記ＶＨＴ−ＳＩＧ−Ｂが、超高スループットロングトレーニングフィールド（ＶＨＴ−ＬＴＦ）とデータフィールドとのためのサブキャリアの数と同じ数のサブキャリアを有し、前記ＶＨＴ−ＳＩＧ−Ｂが、前記データフィールドのためのパイロットマッピングと同じパイロットマッピングを有する、受信することと、
前記ＶＨＴ−ＳＩＧ−Ｂを復号することと
を行うように実行可能である、通信デバイス。
【請求項１１】
前記ＶＨＴ−ＳＩＧ−Ｂは、送信帯域幅が２０ＭＨｚである場合、前記ＶＨＴ−ＳＩＧ−Ｂのための２０個の信号ビットと６つのテールビットとを備える、請求項１０に記載の通信デバイス。
【請求項１２】
送信帯域幅が４０ＭＨｚである場合、前記ＶＨＴ−ＳＩＧ−Ｂが、２０個の信号ビットと１つの予約済みビットと６つのテールビットとの２つのセットを備える、請求項１０に記載の通信デバイス。
【請求項１３】
送信帯域幅が８０ＭＨｚである場合、前記ＶＨＴ−ＳＩＧ−Ｂが、２０個の信号ビットと３つの予約済みビットと６つのテールビットとの４つのセットを備える、請求項１０に記載の通信デバイス。
【請求項１４】
送信帯域幅が１６０ＭＨｚである場合、前記ＶＨＴ−ＳＩＧ−Ｂがビットの２つのグループを備え、ビットの各グループが２０個の信号ビットと３つの予約済みビットと６つのテールビットとの４つのセットを備える、請求項１０に記載の通信デバイス。
【請求項１５】
前記ＶＨＴ−ＳＩＧ−Ｂは、送信帯域幅が１６０ＭＨｚである場合、別のフォーマットを有する、請求項１０に記載の通信デバイス。
【請求項１６】
時空間ストリームの前記数が、前記データフィールド中の時空間ストリームの数と同じである、請求項１０に記載の通信デバイス。
【請求項１７】
前記ＶＨＴ−ＳＩＧ−Ｂが、パケット中のガードインターバルと同じガードインターバルを有する、請求項１０に記載の通信デバイス。
【請求項１８】
前記ＶＨＴ−ＳＩＧ−Ｂを復号することが、
前記ある数の時空間ストリームについてのチャネル推定値を追加することと、
シングルストリーム検出を実行することと
を備える、請求項１０に記載の通信デバイス。
【請求項１９】
前記ＶＨＴ−ＳＩＧ−Ｂを復号することが、
多入力多出力（ＭＩＭＯ）受信処理を実行することと、
前記時空間ストリームを平均化することと、
シングルストリームデインターリーブおよび復号を実行することと
を備える、請求項１０に記載の通信デバイス。
【請求項２０】
前記通信デバイスが、アクセスポイントとアクセス端末とからなるグループから選択された通信デバイスである、請求項１０に記載の通信デバイス。
【請求項２１】
通信デバイスによって超高スループット信号フィールドＢ（ＶＨＴ−ＳＩＧ−Ｂ）を送信するための方法であって、
少なくとも２０個の信号ビットと６つのテールビットとをＶＨＴ−ＳＩＧ−Ｂのために割り振ることと、
超高スループットロングトレーニングフィールド（ＶＨＴ−ＬＴＦ）とデータフィールドとのためのサブキャリアの数と同じ数のサブキャリアを前記ＶＨＴ−ＳＩＧ−Ｂのために使用することと、
前記データフィールドのためのパイロットマッピングと同じパイロットマッピングを前記ＶＨＴ−ＳＩＧ−Ｂのために適用することと、
前記ＶＨＴ−ＳＩＧ−Ｂを送信することと
を備える、方法。
【請求項２２】
送信帯域幅が２０ＭＨｚである場合、２０個の信号ビットと６つのテールビットとを前記ＶＨＴ−ＳＩＧ−Ｂのために割り振ることをさらに備える、請求項２１に記載の方法。
【請求項２３】
送信帯域幅が４０ＭＨｚである場合、前記方法が、
２０個の信号ビットと１つの予約済みビットと６つのテールビットとのセットを前記ＶＨＴ−ＳＩＧ−Ｂのために割り振ることと、
前記ＶＨＴ−ＳＩＧ−Ｂのために前記セットを繰り返すことと
をさらに備える、請求項２１に記載の方法。
【請求項２４】
送信帯域幅が８０ＭＨｚである場合、前記方法が、
２０個の信号ビットと３つの予約済みビットと６つのテールビットとのセットを前記ＶＨＴ−ＳＩＧ−Ｂのために割り振ることと、
前記ＶＨＴ−ＳＩＧ−Ｂのために前記セットを３回繰り返すことと
をさらに備える、請求項２１に記載の方法。
【請求項２５】
送信帯域幅が１６０ＭＨｚである場合、前記方法が、
２０個の信号ビットと３つの予約済みビットと６つのテールビットとのセットの４つのコピーを備えるビットのグループを、前記ＶＨＴ−ＳＩＧ−Ｂのために割り振ることと、
前記ＶＨＴ−ＳＩＧ−Ｂのためにビットの前記グループを繰り返すことと
をさらに備える、請求項２１に記載の方法。
【請求項２６】
送信帯域幅が１６０ＭＨｚである場合、前記ＶＨＴ−ＳＩＧ−Ｂのために別のフォーマットを使用することをさらに備える、請求項２１に記載の方法。
【請求項２７】
別の通信デバイスのための前記データフィールド中の時空間ストリームの数と同じ数の時空間ストリーム上に前記ＶＨＴ−ＳＩＧ−Ｂをコピーすることをさらに備える、請求項２１に記載の方法。
【請求項２８】
パケット中のガードインターバルと同じガードインターバルを前記ＶＨＴ−ＳＩＧ−Ｂに適用することをさらに備える、請求項２１に記載の方法。
【請求項２９】
前記通信デバイスが、アクセスポイントとアクセス端末とからなるグループから選択された通信デバイスである、請求項２１に記載の方法。
【請求項３０】
通信デバイスによって超高スループット信号フィールドＢ（ＶＨＴ−ＳＩＧ−Ｂ）を受信するための方法であって、前記方法は、
ある数の時空間ストリーム上でＶＨＴ−ＳＩＧ−Ｂを受信することであって、前記ＶＨＴ−ＳＩＧ−Ｂが少なくとも２０個の信号ビットと６つのテールビットとを備え、前記ＶＨＴ−ＳＩＧ−Ｂが、超高スループットロングトレーニングフィールド（ＶＨＴ−ＬＴＦ）とデータフィールドとのためのサブキャリアの数と同じ数のサブキャリアを有し、前記ＶＨＴ−ＳＩＧ−Ｂが、前記データフィールドのためのパイロットマッピングと同じパイロットマッピングを有する、受信することと、
前記ＶＨＴ−ＳＩＧ−Ｂを復号することと
を備える、方法。
【請求項３１】
前記ＶＨＴ−ＳＩＧ−Ｂは、送信帯域幅が２０ＭＨｚである場合、前記ＶＨＴ−ＳＩＧ−Ｂのための２０個の信号ビットと６つのテールビットとを備える、請求項３０に記載の方法。
【請求項３２】
送信帯域幅が４０ＭＨｚである場合、前記ＶＨＴ−ＳＩＧ−Ｂが、２０個の信号ビットと１つの予約済みビットと６つのテールビットとの２つのセットを備える、請求項３０に記載の方法。
【請求項３３】
送信帯域幅が８０ＭＨｚである場合、前記ＶＨＴ−ＳＩＧ−Ｂが、２０個の信号ビットと３つの予約済みビットと６つのテールビットとの４つのセットを備える、請求項３０に記載の方法。
【請求項３４】
送信帯域幅が１６０ＭＨｚである場合、前記ＶＨＴ−ＳＩＧ−Ｂがビットの２つのグループを備え、ビットの各グループが２０個の信号ビットと３つの予約済みビットと６つのテールビットとの４つのセットを備える、請求項３０に記載の方法。
【請求項３５】
前記ＶＨＴ−ＳＩＧ−Ｂは、送信帯域幅が１６０ＭＨｚである場合、別のフォーマットを有する、請求項３０に記載の方法。
【請求項３６】
時空間ストリームの前記数が、前記データフィールド中の時空間ストリームの数と同じである、請求項３０に記載の方法。
【請求項３７】
前記ＶＨＴ−ＳＩＧ−Ｂが、パケット中のガードインターバルと同じガードインターバルを有する、請求項３０に記載の方法。
【請求項３８】
前記ＶＨＴ−ＳＩＧ−Ｂを復号することが、
前記ある数の時空間ストリームについてのチャネル推定値を追加することと、
シングルストリーム検出を実行することと
を備える、請求項３０に記載の方法。
【請求項３９】
前記ＶＨＴ−ＳＩＧ−Ｂを復号することが、
多入力多出力（ＭＩＭＯ）受信処理を実行することと、
前記時空間ストリームを平均化することと、
シングルストリームデインターリーブおよび復号を実行することと
を備える、請求項３０に記載の方法。
【請求項４０】
前記通信デバイスが、アクセスポイントとアクセス端末とからなるグループから選択された通信デバイスである、請求項３０に記載の方法。
【請求項４１】
命令をその上に有する非一時的有形コンピュータ可読媒体を備える、超高スループット信号フィールドＢ（ＶＨＴ−ＳＩＧ−Ｂ）を送信するためのコンピュータプログラム製品であって、前記命令が、
通信デバイスに、少なくとも２０個の信号ビットと６つのテールビットとをＶＨＴ−ＳＩＧ−Ｂのために割り振らせるためのコードと、
前記通信デバイスに、超高スループットロングトレーニングフィールド（ＶＨＴ−ＬＴＦ）とデータフィールドとのためのサブキャリアの数と同じ数のサブキャリアを前記ＶＨＴ−ＳＩＧ−Ｂのために使用させるためのコードと、
前記通信デバイスに、前記データフィールドのためのパイロットマッピングと同じパイロットマッピングを前記ＶＨＴ−ＳＩＧ−Ｂのために適用させるためのコードと、
前記通信デバイスに、前記ＶＨＴ−ＳＩＧ−Ｂを送信させるためのコードと
を備える、コンピュータプログラム製品。
【請求項４２】
前記命令が、前記通信デバイスに、別の通信デバイスのための前記データフィールド中の時空間ストリームの数と同じ数の時空間ストリーム上に前記ＶＨＴ−ＳＩＧ−Ｂをコピーさせるためのコードをさらに備える、請求項４１に記載のコンピュータプログラム製品。
【請求項４３】
命令をその上に有する非一時的有形コンピュータ可読媒体を備える、超高スループット信号フィールドＢ（ＶＨＴ−ＳＩＧ−Ｂ）を受信するためのコンピュータプログラム製品であって、前記命令は、
通信デバイスに、ある数の時空間ストリーム上でＶＨＴ−ＳＩＧ−Ｂを受信させるためのコードであって、前記ＶＨＴ−ＳＩＧ−Ｂが少なくとも２０個の信号ビットと６つのテールビットとを備え、前記ＶＨＴ−ＳＩＧ−Ｂが、超高スループットロングトレーニングフィールド（ＶＨＴ−ＬＴＦ）とデータフィールドとのためのサブキャリアの数と同じ数のサブキャリアを有し、前記ＶＨＴ−ＳＩＧ−Ｂが、前記データフィールドのためのパイロットマッピングと同じパイロットマッピングを有する、受信させるためのコードと、
前記通信デバイスに、前記ＶＨＴ−ＳＩＧ−Ｂを復号させるためのコードと
を備える、コンピュータプログラム製品。
【請求項４４】
時空間ストリームの前記数が、前記データフィールド中の時空間ストリームの数と同じである、請求項４３に記載のコンピュータプログラム製品。
【請求項４５】
超高スループット信号フィールドＢ（ＶＨＴ−ＳＩＧ−Ｂ）を送信するための装置であって、
少なくとも２０個の信号ビットと６つのテールビットとをＶＨＴ−ＳＩＧ−Ｂのために割り振るための手段と、
超高スループットロングトレーニングフィールド（ＶＨＴ−ＬＴＦ）とデータフィールドとのためのサブキャリアの数と同じ数のサブキャリアを前記ＶＨＴ−ＳＩＧ−Ｂのために使用するための手段と、
前記データフィールドのためのパイロットマッピングと同じパイロットマッピングを前記ＶＨＴ−ＳＩＧ−Ｂのために適用するための手段と、
前記ＶＨＴ−ＳＩＧ−Ｂを送信するための手段と
を備える、装置。
【請求項４６】
別の装置のための前記データフィールド中の時空間ストリームの数と同じ数の時空間ストリーム上に前記ＶＨＴ−ＳＩＧ−Ｂをコピーするための手段をさらに備える、請求項４５に記載の装置。
【請求項４７】
超高スループット信号フィールドＢ（ＶＨＴ−ＳＩＧ−Ｂ）を受信するための装置であって、
ある数の時空間ストリーム上でＶＨＴ−ＳＩＧ−Ｂを受信するための手段であって、前記ＶＨＴ−ＳＩＧ−Ｂが少なくとも２０個の信号ビットと６つのテールビットとを備え、前記ＶＨＴ−ＳＩＧ−Ｂが、超高スループットロングトレーニングフィールド（ＶＨＴ−ＬＴＦ）とデータフィールドとのためのサブキャリアの数と同じ数のサブキャリアを有し、前記ＶＨＴ−ＳＩＧ−Ｂが、前記データフィールドのためのパイロットマッピングと同じパイロットマッピングを有する、受信するための手段と、
前記ＶＨＴ−ＳＩＧ−Ｂを復号するための手段と
を備える、装置。
【請求項４８】
時空間ストリームの前記数が、前記データフィールド中の時空間ストリームの数と同じである、請求項４７に記載の装置。
【発明の詳細な説明】
【技術分野】
【０００１】
[関連出願]
本出願は、「FORMAT OF VHT-SIG-B IN 802.11AC STANDARD」と題する２０１０年６月１５日に出願された米国仮特許出願第６１／３５４，９３０号に関し、その優先権を主張する。
【０００２】
[技術分野]
本開示は、一般に通信システムに関する。より詳細には、本開示は、通信デバイス上でフィールドフォーマットを使用することに関する。
【背景技術】
【０００３】
[背景]
通信システムは、データ、ボイス、ビデオなど、様々なタイプの通信コンテンツを提供するために広く展開されている。これらのシステムは、１つまたは複数の他の通信デバイス（たとえば、基地局、アクセスポイントなど）との複数の通信デバイス（たとえば、ワイヤレス通信デバイス、アクセス端末など）の同時通信をサポートすることが可能な多元接続システムであり得る。
【０００４】
通信デバイスの使用は、過去数年にわたって劇的に増加した。通信デバイスはしばしば、たとえば、ローカルエリアネットワーク（ＬＡＮ）またはインターネットなどのネットワークへのアクセスを行う。他の通信デバイス（たとえば、アクセス端末、ラップトップコンピュータ、スマートフォン、メディアプレーヤ、ゲームデバイスなど）は、ネットワークアクセスを行う通信デバイスとワイヤレス通信し得る。いくつかの通信デバイスは、米国電気電子技術者協会（ＩＥＥＥ）８０２．１１（たとえば、ワイヤレスフィデリティーまたは「Ｗｉ−Ｆｉ」）標準など、いくつかの業界標準に準拠する。通信デバイスユーザは、たとえば、しばしば、そのような通信デバイスを使用してワイヤレスネットワークに接続する。
【０００５】
通信デバイスの使用が増加しているので、通信デバイス容量、信頼性および効率の向上が求められている。通信デバイス容量、信頼性および／または効率を改善するシステムおよび方法が有益であり得る。
【発明の概要】
【０００６】
超高スループット信号フィールドＢ(Very High Throughput Signal Field B)（ＶＨＴ−ＳＩＧ−Ｂ）を送信するための通信デバイスを開示する。本通信デバイスは、プロセッサと、プロセッサと電子通信しているメモリに記憶された命令とを含む。本通信デバイスは、少なくとも２０個の信号ビットと６つのテールビット(tail bit)とをＶＨＴ−ＳＩＧ−Ｂのために割り振る。本通信デバイスはまた、超高スループットロングトレーニングフィールド（ＶＨＴ−ＬＴＦ：Very High Throughput Long Training Field）とデータフィールドとのためのサブキャリアの数と同じ数のサブキャリアをＶＨＴ−ＳＩＧ−Ｂのために使用する。本通信デバイスはさらに、データフィールドのためのパイロットマッピング(pilot mapping)と同じパイロットマッピングをＶＨＴ−ＳＩＧ−Ｂのために適用する。本通信デバイスはさらに、ＶＨＴ−ＳＩＧ−Ｂを送信する。本通信デバイスはアクセスポイントまたはアクセス端末であり得る。
【０００７】
本通信デバイスは、送信帯域幅が２０ＭＨｚである場合、２０個の信号ビットと６つのテールビットとをＶＨＴ−ＳＩＧ−Ｂのために割り振り得る。送信帯域幅が４０ＭＨｚである場合、本通信デバイスは、２０個の信号ビットと１つの予約済みビット(reserved bit)と６つのテールビットとのセットをＶＨＴ−ＳＩＧ−Ｂのために割り振り、ＶＨＴ−ＳＩＧ−Ｂのためにセットを繰り返し得る。送信帯域幅が８０ＭＨｚである場合、本通信デバイスは、２０個の信号ビットと３つの予約済みビットと６つのテールビットとのセットをＶＨＴ−ＳＩＧ−Ｂのために割り振り、ＶＨＴ−ＳＩＧ−Ｂのためにセットを３回繰り返し得る。送信帯域幅が１６０ＭＨｚである場合、本通信デバイスは、２０個の信号ビットと３つの予約済みビットと６つのテールビットとのセットの４つのコピーを含むビットのグループを、ＶＨＴ−ＳＩＧ−Ｂのために割り振り、ＶＨＴ−ＳＩＧ−Ｂのためにビットのグループを繰り返し得る。本通信デバイスは、送信帯域幅が１６０ＭＨｚである場合、ＶＨＴ−ＳＩＧ−Ｂのために別のフォーマットを使用し得る。
【０００８】
本通信デバイスは、別の通信デバイスのためのデータフィールド中の時空間ストリーム(space-time stream)の数と同じ数の時空間ストリーム上にＶＨＴ−ＳＩＧ−Ｂをコピーし得る。本通信デバイスは、パケット中のガードインターバル(guard interval)と同じガードインターバルをＶＨＴ−ＳＩＧ−Ｂに適用し得る。
【０００９】
超高スループット信号フィールドＢ（ＶＨＴ−ＳＩＧ−Ｂ）を受信するための通信デバイスをも開示する。本通信デバイスは、プロセッサと、プロセッサと電子通信しているメモリに記憶された命令とを含む。本通信デバイスは、ある数の時空間ストリーム上でＶＨＴ−ＳＩＧ−Ｂを受信する。ＶＨＴ−ＳＩＧ−Ｂは、少なくとも２０個の信号ビットと６つのテールビットとを含む。ＶＨＴ−ＳＩＧ−Ｂは、超高スループットロングトレーニングフィールド（ＶＨＴ−ＬＴＦ）とデータフィールドとのためのサブキャリアの数と同じ数のサブキャリアを有する。ＶＨＴ−ＳＩＧ−Ｂは、データフィールドのためのパイロットマッピングと同じパイロットマッピングを有する。本通信デバイスはＶＨＴ−ＳＩＧ−Ｂを復号する。本通信デバイスはアクセスポイントまたはアクセス端末であり得る。時空間ストリームの数は、データフィールド中の時空間ストリームの数と同じであり得る。ＶＨＴ−ＳＩＧ−Ｂは、パケット中のガードインターバルと同じガードインターバルを有し得る。
【００１０】
ＶＨＴ−ＳＩＧ−Ｂは、送信帯域幅が２０ＭＨｚである場合、ＶＨＴ−ＳＩＧ−Ｂのための２０個の信号ビットと６つのテールビットとを含み得る。送信帯域幅が４０ＭＨｚである場合、ＶＨＴ−ＳＩＧ−Ｂは、２０個の信号ビットと１つの予約済みビットと６つのテールビットとの２つのセットを含み得る。送信帯域幅が８０ＭＨｚである場合、ＶＨＴ−ＳＩＧ−Ｂは、２０個の信号ビットと３つの予約済みビットと６つのテールビットとの４つのセットを含み得る。送信帯域幅が１６０ＭＨｚである場合、ＶＨＴ−ＳＩＧ−Ｂはビットの２つのグループを含み得る。ビットの各グループは、２０個の信号ビットと３つの予約済みビットと６つのテールビットとの４つのセットを含み得る。ＶＨＴ−ＳＩＧ−Ｂは、送信帯域幅が１６０ＭＨｚである場合、別のフォーマットを有し得る。
【００１１】
ＶＨＴ−ＳＩＧ−Ｂを復号することは、ある数の時空間ストリームについてのチャネル推定値を追加することを含み得、シングルストリーム検出を実行することを含み得る。ＶＨＴ−ＳＩＧ−Ｂを復号することは、多入力多出力（ＭＩＭＯ）受信処理を実行することを含み得る。ＶＨＴ−ＳＩＧ−Ｂを復号することはさらに、時空間ストリームを平均化することと、シングルストリームデインターリーブおよび復号(single-stream deinterleaving and decording)を実行することとを含み得る。
【００１２】
通信デバイスによって超高スループット信号フィールドＢ（ＶＨＴ−ＳＩＧ−Ｂ）を送信するための方法をも開示する。本方法は、少なくとも２０個の信号ビットと６つのテールビットとをＶＨＴ−ＳＩＧ−Ｂのために割り振ることを含む。本方法は、超高スループットロングトレーニングフィールド（ＶＨＴ−ＬＴＦ）とデータフィールドとのためのサブキャリアの数と同じ数のサブキャリアをＶＨＴ−ＳＩＧ−Ｂのために使用することをも含む。本方法はさらに、データフィールドのためのパイロットマッピングと同じパイロットマッピングをＶＨＴ−ＳＩＧ−Ｂのために適用することを含む。本方法はさらに、ＶＨＴ−ＳＩＧ−Ｂを送信することを含む。
【００１３】
通信デバイスによって超高スループット信号フィールドＢ（ＶＨＴ−ＳＩＧ−Ｂ）を受信するための方法をも開示する。本方法は、ある数の時空間ストリーム上でＶＨＴ−ＳＩＧ−Ｂを受信することを含む。ＶＨＴ−ＳＩＧ−Ｂは、少なくとも２０個の信号ビットと６つのテールビットとを含む。ＶＨＴ−ＳＩＧ−Ｂは、超高スループットロングトレーニングフィールド（ＶＨＴ−ＬＴＦ）とデータフィールドとのためのサブキャリアの数と同じ数のサブキャリアを有する。ＶＨＴ−ＳＩＧ−Ｂは、データフィールドのためのパイロットマッピングと同じパイロットマッピングを有する。本方法は、ＶＨＴ−ＳＩＧ−Ｂを復号することをも含む。
【００１４】
超高スループット信号フィールドＢ（ＶＨＴ−ＳＩＧ−Ｂ）を送信するためのコンピュータプログラム製品をも開示する。本コンピュータプログラム製品は、命令をもつ非一時的有形コンピュータ可読媒体を含む。本命令は、通信デバイスに、少なくとも２０個の信号ビットと６つのテールビットとをＶＨＴ−ＳＩＧ−Ｂのために割り振らせるためのコードを含む。本命令は、通信デバイスに、超高スループットロングトレーニングフィールド（ＶＨＴ−ＬＴＦ）とデータフィールドとのためのサブキャリアの数と同じ数のサブキャリアをＶＨＴ−ＳＩＧ−Ｂのために使用させるためのコードをも含む。本命令はさらに、通信デバイスに、データフィールドのためのパイロットマッピングと同じパイロットマッピングをＶＨＴ−ＳＩＧ−Ｂのために適用させるためのコードを含む。本命令はさらに、通信デバイスに、ＶＨＴ−ＳＩＧ−Ｂを送信させるためのコードを含む。
【００１５】
超高スループット信号フィールドＢ（ＶＨＴ−ＳＩＧ−Ｂ）を受信するためのコンピュータプログラム製品をも開示する。本コンピュータプログラム製品は、命令をもつ非一時的有形コンピュータ可読媒体を含む。本命令は、通信デバイスに、ある数の時空間ストリーム上でＶＨＴ−ＳＩＧ−Ｂを受信させるためのコードを含む。ＶＨＴ−ＳＩＧ−Ｂは、少なくとも２０個の信号ビットと６つのテールビットとを含む。ＶＨＴ−ＳＩＧ−Ｂは、超高スループットロングトレーニングフィールド（ＶＨＴ−ＬＴＦ）とデータフィールドとのためのサブキャリアの数と同じ数のサブキャリアを有する。ＶＨＴ−ＳＩＧ−Ｂは、データフィールドのためのパイロットマッピングと同じパイロットマッピングを有する。本命令はさらに、通信デバイスに、ＶＨＴ−ＳＩＧ−Ｂを復号させるためのコードを含む。
【００１６】
超高スループット信号フィールドＢ（ＶＨＴ−ＳＩＧ−Ｂ）を送信するための装置をも開示する。本装置は、少なくとも２０個の信号ビットと６つのテールビットとをＶＨＴ−ＳＩＧ−Ｂのために割り振るための手段を含む。本装置は、超高スループットロングトレーニングフィールド（ＶＨＴ−ＬＴＦ）とデータフィールドとのためのサブキャリアの数と同じ数のサブキャリアをＶＨＴ−ＳＩＧ−Ｂのために使用するための手段をも含む。本装置はさらに、データフィールドのためのパイロットマッピングと同じパイロットマッピングをＶＨＴ−ＳＩＧ−Ｂのために適用するための手段を含む。本装置はさらに、ＶＨＴ−ＳＩＧ−Ｂを送信するための手段を含む。
【００１７】
超高スループット信号フィールドＢ（ＶＨＴ−ＳＩＧ−Ｂ）を受信するための装置をも開示する。本装置は、ある数の時空間ストリーム上でＶＨＴ−ＳＩＧ−Ｂを受信するための手段を含む。ＶＨＴ−ＳＩＧ−Ｂは、少なくとも２０個の信号ビットと６つのテールビットとを含む。ＶＨＴ−ＳＩＧ−Ｂは、超高スループットロングトレーニングフィールド（ＶＨＴ−ＬＴＦ）とデータフィールドとのためのサブキャリアの数と同じ数のサブキャリアを有する。ＶＨＴ−ＳＩＧ−Ｂは、データフィールドのためのパイロットマッピングと同じパイロットマッピングを有する。本装置はさらに、ＶＨＴ−ＳＩＧ−Ｂを復号するための手段を含む。
【図面の簡単な説明】
【００１８】
【図１】フィールドフォーマットを使用するためのシステムおよび方法が実装され得る、送信通信デバイスおよび受信通信デバイスの一構成を示すブロック図。
【図２】本明細書で開示するシステムおよび方法に従って使用され得る通信フレームの一例を示す図。
【図３】超高スループット信号フィールドＢ（ＶＨＴ−ＳＩＧ−Ｂ）の例を示す図。
【図４】本明細書で開示するシステムおよび方法による、超高スループット信号フィールドＢ（ＶＨＴ−ＳＩＧ−Ｂ）のための８０メガヘルツ（ＭＨｚ）信号の場合のデータおよびパイロットトーンの一例を示す図。
【図５】通信デバイス上でフィールドフォーマットを使用するための方法の一構成を示す流れ図。
【図６】通信デバイス上でフィールドフォーマットを使用するための方法のより具体的な構成を示す流れ図。
【図７】通信デバイス上でフィールドフォーマットを使用するための方法の別の構成を示す流れ図。
【図８】フィールドフォーマットを使用するためのシステムおよび方法が実装され得る、アクセスポイントおよびアクセス端末の一構成を示すブロック図。
【図９】多入力多出力（ＭＩＭＯ）システム中で使用され得る通信デバイスのブロック図。
【図１０】通信デバイス内に含まれ得るいくつかの構成要素を示す図。
【図１１】ワイヤレス通信デバイス内に含まれ得るいくつかの構成要素を示す図。
【発明を実施するための形態】
【００１９】
[詳細な説明]
通信デバイスの例には、セルラー電話基地局またはノード、アクセスポイント、ワイヤレスゲートウェイおよびワイヤレスルータがある。通信デバイスは、米国電気電子技術者協会（ＩＥＥＥ）８０２．１１ａ、８０２．１１ｂ、８０２．１１ｇ、８０２．１１ｎおよび／または８０２．１１ａｃ（たとえば、ワイヤレスフィデリティーまたは「Ｗｉ−Ｆｉ」）標準など、いくつかの業界標準に従って動作し得る。通信デバイスが準拠し得る標準の他の例には、ＩＥＥＥ８０２．１６（たとえば、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓまたは「ＷｉＭＡＸ」）、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）などがある（たとえば、通信デバイスがノードＢ、発展型ノードＢ（ｅＮＢ）などと呼ばれることがある）。本明細書で開示するシステムおよび方法のいくつかは１つまたは複数の標準に関して説明され得るが、それらのシステムおよび方法は多くのシステムおよび／または標準に適用可能であり得るので、これは本開示の範囲を限定すべきではない。
【００２０】
いくつかの通信デバイス（たとえば、アクセス端末、クライアントデバイス、クライアント局など）は、他の通信デバイスとワイヤレス通信し得る。いくつかの通信デバイスは、局（ＳＴＡ）、モバイルデバイス、移動局、加入者局、ユーザ機器（ＵＥ）、遠隔局、アクセス端末、モバイル端末、端末、ユーザ端末、加入者ユニットなどと呼ばれることがある。通信デバイスのさらなる例には、ラップトップまたはデスクトップコンピュータ、セルラー電話、スマートフォン、ワイヤレスモデム、電子リーダー、タブレットデバイス、ゲームシステムなどがある。これらの通信デバイスのうちのいくつかは、上記で説明したように１つまたは複数の業界標準に従って動作し得る。したがって、「通信デバイス」という一般的な用語は、業界標準に応じて異なる名称で説明される通信デバイス（たとえば、アクセス端末、ユーザ機器（ＵＥ）、リモート端末、アクセスポイント、基地局、ノードＢ、発展型ノードＢ（ｅＮＢ）など）を含み得る。
【００２１】
いくつかの通信デバイスは、通信ネットワークへのアクセスを行うことが可能であり得る。通信ネットワークの例には、限定はしないが、電話網（たとえば、公衆交換電話網（ＰＳＴＮ：Public-Switched Telephone Network）またはセルラー電話ネットワークなどの「固定（land-line）」ネットワーク）、インターネット、ローカルエリアネットワーク（ＬＡＮ）、ワイドエリアネットワーク（ＷＡＮ）、メトロポリタンエリアネットワーク（ＭＡＮ）などがある。
【００２２】
ＩＥＥＥ８０２．１１グループの現在の作業は、ＶＨＴ（超高スループット）という名称の下で、８０２．１１の新しくより高速なバージョンを標準化することを伴う。この拡張は８０２．１１ａｃと呼ばれることがある。８０メガヘルツ（ＭＨｚ）および１６０ＭＨｚを使用する送信など、さらなる信号帯域幅（ＢＷ）の使用も検討されている。信号帯域幅の増加を可能にするとともに、８０２．１１ｎ、８０２．１１ａ、および８０２．１１への後方互換性を可能にする物理レイヤ（ＰＨＹ）プリアンブルが定義され得る。
【００２３】
いくつかのフィールドを含む、プリアンブルをもつ８０２．１１ａｃフレームが構造化され得る。一構成では、８０２．１１ａｃフレームは、レガシーショートトレーニングフィールドまたは非高スループットショートトレーニングフィールド（Ｌ−ＳＴＦ）と、レガシーロングトレーニングフィールドまたは非高スループットロングトレーニングフィールド（Ｌ−ＬＴＦ）と、レガシー信号フィールドまたは非高スループット信号フィールド（Ｌ−ＳＩＧ）と、１つまたは複数の超高スループット信号フィールドＡ（ＶＨＴ−ＳＩＧ−Ａ）と、超高スループットショートトレーニングフィールド（ＶＨＴ−ＳＴＦ）と、１つまたは複数の超高スループットロングトレーニングフィールド（ＶＨＴ−ＬＴＦ）と、超高スループット信号フィールドＢ（ＶＨＴ−ＳＩＧ−Ｂ）と、データフィールド（たとえば、データまたはＶＨＴ−ＤＡＴＡ）とを含み得る。いくつかの構成では、複数のＶＨＴ−ＳＩＧ−Ａ（たとえば、ＶＨＴ−ＳＩＧ−Ａ１およびＶＨＴ−ＳＩＧ−Ａ２）が使用され得る。
【００２４】
本明細書で開示するシステムおよび方法では、超高スループット信号フィールドＢ（ＶＨＴ−ＳＩＧ−Ｂ）のためのフォーマットについて説明する。ＶＨＴ−ＳＩＧ−Ｂは、ユーザ固有の情報（たとえば、変調およびコーディングレート）を含み得、異なるクライアント（たとえば、受信通信デバイス、ワイヤレス通信デバイスなど）について空間多重化され得る。
【００２５】
ＩＥＥＥ８０２．１１では、ある通信デバイスが別の通信デバイスにパイロットシンボルを送り得る。パイロットシンボルは、たとえば、１つまたは複数の空間ストリームを使用して送られ得る。一構成では、パイロットシンボルが超高スループット信号フィールドＢ（ＶＨＴ−ＳＩＧ−Ｂ）中で送られ得る。パイロットシンボルは、追加または代替として、１つまたは複数のフィールド中で（たとえば、超高スループットデータ（ＶＨＴ−ＤＡＴＡ）フィールド中で）送られ得る。
【００２６】
本明細書で開示するシステムおよび方法によれば、ＶＨＴ−ＳＩＧ−Ｂは、データシンボルのために使用されるものと同じパイロットマッピングを使用し得る。たとえば、通信デバイスは、１つまたは複数の空間ストリーム上のサブキャリアにマッピングされるべき１つまたは複数のパイロットシーケンスを生成し得る。パイロットシーケンスは、１つまたは複数のパイロットシンボルを含み得る。一構成では、２０メガヘルツ（ＭＨｚ）送信帯域幅を使用するとき、パイロットシーケンスは、空間ストリーム当たり４つのパイロットシンボル（たとえば、Ψ0〜Ψ3）を備え得る。送信帯域幅４０ＭＨｚの場合、たとえば、パイロットシーケンスは、空間ストリーム当たり６つのパイロットシンボル（たとえば、Ψ0〜Ψ5）を備え得る。送信帯域幅８０ＭＨｚの場合、パイロットシーケンスは、たとえば、８つのパイロットシンボル（たとえば、Ψ0〜Ψ7）を備え得る。
【００２７】
（たとえばＩＥＥＥ８０２．１１ａｃにおける）一構成では、すべてのＮSTS個のストリーム上のパイロットマッピングは、（たとえば、ストリームごとの可能な異なるサイクリックシフトダイバーシティ値（ＣＳＤ）を除いて）同じであり得る。以下のように、２０ＭＨｚ送信の場合のパイロットマッピングの例が与えられ、４０ＭＨｚ送信の場合のパイロットマッピングの例が続く。次いで、８０ＭＨｚ送信の場合のパイロットマッピングの例が与えられる。
【００２８】
一構成では、２０ＭＨｚ送信の場合のＶＨＴ−ＳＩＧ−Ｂのためのパイロットシーケンスは、次のように適用され得る。２０ＭＨｚ送信でのパイロットトーンマッピングを式（１）に示す。
【数１】
2013535144.tif 000003
【００２９】
式（１）において、
【数２】
2013535144.tif 000004
【００３０】
は、パイロットシーケンス中のパイロットシンボルを表す。式（１）において、Ｐはパイロットシーケンスであり、ｎはシンボルインデックス（たとえば、ＶＨＴ−ＳＩＧ−Ｂの場合、ｎ＝０）である。擬似ランダムスクランブルシーケンスを含むので、ｋ番目のトーン（ｋ＝｛−２１，７，７，２１｝）のためのパイロット値は
【数３】
2013535144.tif 000005
【００３１】
であり、ＶＨＴ−ＳＩＧ−Ｂの場合、ｚ＝３であり、ｐnはＩＥＥＥ８０２．１１仕様のセクション１７．３．５．９において定義されている。
【００３２】
一構成では、４０ＭＨｚ送信の場合のＶＨＴ−ＳＩＧ−Ｂのためのパイロットシーケンスは、次のように適用され得る。４０ＭＨｚ送信でのパイロットトーンマッピングを式（２）に示す。
【数４】
2013535144.tif 000006
【００３３】
式（２）において、
【数５】
2013535144.tif 000007
【００３４】
は、パイロットシーケンス中のパイロットシンボルを表す。式（２）において、Ｐはパイロットシーケンスであり、ｎはシンボルインデックス（たとえば、ＶＨＴ−ＳＩＧ−Ｂの場合、ｎ＝０）である。擬似ランダムスクランブルシーケンスを含むので、ｋ番目のトーン（ｋ＝｛−５３，−２５，−１１，−１１，２５，５３｝）のためのパイロット値は
【数６】
2013535144.tif 000008
【００３５】
であり、ＶＨＴ−ＳＩＧ−Ｂの場合、ｚ＝３であり、ｐnはＩＥＥＥ８０２．１１仕様のセクション１７．３．５．９において定義されている。
【００３６】
一構成では、８０ＭＨｚ送信の場合のＶＨＴ−ＳＩＧ−Ｂのためのパイロットシーケンスは、次のように適用され得る。８０ＭＨｚ送信でのパイロットトーンマッピングを式（３）に示す。
【数７】
2013535144.tif 000009
【００３７】
式（３）において、Ψ1,mは、パイロットシーケンス中のパイロットシンボルを表す。式（３）において、Ｐはパイロットシーケンスであり、ｎはシンボルインデックス（たとえば、ＶＨＴ−ＳＩＧ−Ｂの場合、ｎ＝０）である。擬似ランダムスクランブルシーケンスを含むので、ｋ番目のトーン（ｋ＝｛−１０３，−７５，−３９，−１１，１１，３９，７５，１０３｝）のためのパイロット値は
【数８】
2013535144.tif 000010
【００３８】
であり、ＶＨＴ−ＳＩＧ−Ｂの場合、ｚ＝３であり、ｐnはＩＥＥＥ８０２．１１仕様のセクション１７．３．５．９において定義されている。パイロットシーケンスには回転が適用され得る（たとえば、後で適用され得る）ことに留意されたい。
【００３９】
したがって、ＶＨＴ−ＳＩＧ−Ｂの場合、（ＶＨＴ−ＤＡＴＡ）シンボルインデックスｎ＝０である。これは、たとえば、第１のデータシンボルおよびＶＨＴ−ＳＩＧ−Ｂが両方ともデータシンボル数０を使用することを意味する。上記で説明したように、パイロットスクランブルシーケンスインデックスは、ＶＨＴ−ＳＩＧ−Ｂの場合、ｚ＝３であり得る。
【００４０】
本明細書で開示するシステムおよび方法によれば、ＶＨＴ−ＳＩＧ−Ｂは、超高スループットロングトレーニングフィールド（ＶＨＴ−ＬＴＦ）およびデータフィールドと同じ数のサブキャリアを使用し得る。ＶＨＴ−ＳＩＧ−Ｂにおいて、パイロットおよびスケーリングが、データフィールドのためのパイロットおよびスケーリングと同様に行われ得る。たとえば、スケーリングは、平均電力がデータシンボルのための平均電力と同じになるように行われ得る。これは、（たとえば、ＶＨＴ−ＳＩＧ−Ａのような）８０２．１１ａトーンを複製することを伴う問題を回避し得る。しかしながら、ＶＨＴ−ＳＩＧ−Ｂのための電力スケーリングは、（たとえば、８０２．１１ｎ高スループット（ＨＴ）複製と同様の）ＶＨＴ−ＳＩＧ−Ａのための電力スケーリングとは異なり得る。たとえば、ＶＨＴ−ＳＩＧ−Ａは異なる数のサブキャリアを有し得る。したがって、スケーリングファクタは、平均電力を、ＶＨＴ−ＳＩＧ−Ａ、ＶＨＴ−ＳＩＧ−Ｂおよびデータシンボルのための平均電力と同じにするようにわずかに異なり得る。ＶＨＴ−ＬＴＦが、ＶＨＴ−ＳＩＧ−Ａとは異なる数のパイロットと異なるパイロットマッピングとを有し得るので、パイロットマッピングおよびパイロット処理は、ＶＨＴ−ＳＩＧ−Ａのためのパイロットマッピングおよびパイロット処理とは異なり得る。
【００４１】
本明細書で開示するシステムおよび方法によれば、（たとえば、２０ＭＨｚ送信帯域幅の場合）２０ＭＨｚモードでのＶＨＴ−ＳＩＧ−Ｂ中に利用可能な２６個のビットがあり得る。送信帯域幅４０ＭＨｚ、８０ＭＨｚおよび１６０ＭＨｚの場合、テールビットを含むビットが繰り返され得る。これは、帯域幅のために（たとえば２０個の予約済みビット(reserved bit)よりも大きい）追加のビットを与え得る。これは、受信機が、デコーダ入力において繰り返されるソフト値を平均化することによって処理利得を得るための方法をも与え得る。一構成では、２つのコピーされた８０ＭＨｚのＶＨＴ−ＳＩＧ−Ｂデータシンボルが、送信帯域幅１６０ＭＨｚの場合に使用され得る。代替的に、別の１６０ＭＨｚインターリーバが使用される場合、１６０ＭＨｚ帯域幅のための別のフォーマットが使用され得る。
【００４２】
本明細書で開示するシステムおよび方法によれば、ＶＨＴ−ＳＩＧ−Ｂは時空間ストリーム上で複製され得る。一構成では、ＶＨＴ−ＳＩＧ−Ｂは、シングル空間ストリームシンボルとして符号化され、インターリーブされ得る。ＶＨＴ−ＳＩＧ−Ｂのコンスタレーションマッパー出力がＮSTS個のストリーム上にコピーされ得、ＮSTSは、対象とする受信機、デバイスまたはユーザのためのデータフィールド中の時空間ストリームの数である。ＶＨＴ−ＳＩＧ−ＢのためのＮSTS個の時空間ストリームは、データフィールドで使用するものと同じサイクリックシフトダイバーシティ（ＣＳＤ）値を使用し得る。
【００４３】
本明細書で開示するシステムおよび方法によれば、ＶＨＴ−ＳＩＧ−Ｂは、長いガードインターバルを使用し得る。長いガードインターバルは、パケットまたはフレームのプリアンブル部分全体において同じガードインターバルを保つために使用され得る。
【００４４】
別の通信デバイス（たとえば、受信機）はＶＨＴ−ＳＩＧ−Ｂを受信し得る。ＶＨＴ−ＳＩＧ−Ｂを復号するときに、ＮSTSストリームチャネル推定値が利用可能であり得、ＮSTSは、１つの特定の受信機、デバイスまたはユーザのための時空間ストリームの数である。一構成では、受信機復号は次のように行われ得る。各サブキャリアおよび各受信アンテナについて、すべてのＮSTS個のストリームについてのチャネル推定値が追加され得る。次いで、シングルストリーム検出が、この修正チャネル推定値を使用して行われ得る。代替的に、受信機復号は次のように行われ得る。多入力多出力（ＭＩＭＯ）受信処理が実行され得る。次いで、ＮSTSがサブキャリアごとに平均化され得る。最後に、シングルストリームデインターリーブおよび復号が実行され得る。
【００４５】
本明細書で開示するシステムおよび方法の一構成では、ＶＨＴ−ＳＩＧ−Ｂのためのいくつかの直交周波数分割多重（ＯＦＤＭ）トーンといくつかのビットとが次のように使用され得る。（送信および／または受信のための）４０ＭＨｚ、８０ＭＨｚおよび１６０ＭＨｚ帯域幅の場合、それぞれ２つ、４つおよび８つのセットを取得するために、ビットのセットが繰り返され得る。いくつかの構成では、この繰り返しは、各２０ＭＨｚサブバンド上で行われないことがある。繰り返しは、符号化およびインターリービングの前に実行され得る。インターリービングのために、たとえば、第１の２７個のビットが２０ＭＨｚサブバンドにわたって拡散され得る。したがって、各２０ＭＨｚは、同じ２７個のビットを搬送しないことがある。そうではなく、４０ＭＨｚの場合、第１の２７個のビットは、２つのセット（たとえば、コピー）を取得するために繰り返され得る。８０ＭＨｚの場合、第１の２９個のビットは、１つの余分のパディングビットをもつ４つのセットまたはコピーを取得するために繰り返され得る。１６０ＭＨｚの場合、第１の２９個のビットは、２つの余分のパッドビットをもつ８つのセットまたはコピーを取得するために繰り返され得る。本明細書では、ＢＰＳＫおよび１／２レートコーディングが一例として使用されるが、様々な数のビットが各シンボル中に含まれることを可能にし得る他の変調方式および／またはコーディングレートが、本明細書のシステムおよび方法に従って使用され得ることに留意されたい。表（１）に、本明細書で開示するシステムおよび方法による、ＶＨＴ−ＳＩＧ−Ｂのために使用され得る信号帯域幅当たりのデータトーンの数およびビット数の一例を示す。
【表１】
2013535144.tif 000011
【００４６】
次に、図を参照しながら様々な構成について説明する。同様の参照符号は機能的に同様の要素を示し得る。本明細書で概して説明し、図に示すシステムおよび方法は、多種多様な異なる構成で構成および設計され得る。したがって、図に表されるいくつかの構成についての以下のより詳細な説明は、請求する範囲を限定するものではなく、システムおよび方法を代表するものにすぎない。
【００４７】
図１は、フィールドフォーマットを使用するためのシステムおよび方法が実装され得る、送信通信デバイス１０２および受信通信デバイス１３８の一構成を示すブロック図である。送信通信デバイス１０２の例は、アクセスポイント、アクセス端末、基地局、ユーザ機器（ＵＥ）、局（ＳＴＡ）などを含み得る。受信通信デバイス１３８の例は、アクセスポイント、アクセス端末、基地局、ユーザ機器（ＵＥ）、局（ＳＴＡ）などを含み得る。送信通信デバイス１０２は、繰り返しビットブロック／モジュール１０６、チャネル符号器１０８、インターリーバ１１０、コンスタレーションマッパー１１２、パイロット挿入ブロック／モジュール１１４、スケーリングブロック／モジュール１２０、サイクリックシフトブロック／モジュール１２２、空間マッピングブロック／モジュール１２４、逆離散フーリエ変換（ＩＤＦＴ）ブロック／モジュール１２６、ガードインターバルブロック／モジュール１２８、送信（ＴＸ）無線周波数（ＲＦ）ブロック／モジュール１３０、１つまたは複数のアンテナ１３２ａ〜ｎ、擬似ランダム雑音生成器１３４および／またはパイロット生成器１３６を含み得る。
【００４８】
送信通信デバイス１０２中に含まれる要素１０６、１０８、１１０、１１２、１１４、１２０、１２２、１２４、１２６、１２８、１３０、１３４、１３６のうちの１つまたは複数は、ハードウェア、ソフトウェアまたは両方の組合せにおいて実装され得ることに留意されたい。さらに、「ブロック／モジュール」という用語は、特定の要素がハードウェア、ソフトウェアまたは両方の組合せにおいて実装され得ることを示すために使用され得る。また、要素１０６、１０８、１１０、１１２、１１４、１２０、１２２、１２４、１２６、１２８、１３０、１３４、１３６のうちのいくつかは単一のブロックとして示され得るが、示される要素１０６、１０８、１１０、１１２、１１４、１２０、１２２、１２４、１２６、１２８、１３０、１３４、１３６のうちの１つまたは複数は、いくつかの構成では複数の並列ブロック／モジュールを備え得ることに留意されたい。たとえば、複数のチャネル符号器１０８、複数のインターリーバ１１０、複数のコンスタレーションマッパー１１２、複数のパイロット挿入ブロック／モジュール１１４、複数のスケーリングブロック／モジュール１２０、複数のサイクリックシフトブロック／モジュール１２２、複数の空間マッピングブロック／モジュール１２４、複数のＩＤＦＴブロック／モジュール１２６、複数のガードインターバルブロック／モジュール１２８および／または複数のＴＸ  ＲＦブロック／モジュール１３０は、いくつかの構成では多重経路を形成するために使用され得る。
【００４９】
たとえば、別のストリーム１５８（たとえば、時空間ストリーム１５８、空間ストリーム１５８など）が生成され、および／または別経路を使用して送信され得る。いくつかの実装形態では、これらの経路は別個のハードウェアを用いて実装されるが、他の実装形態では、経路のハードウェアが２つ以上のストリーム１５８のために再利用されるか、またはパス論理が、１つまたは複数のストリーム１５８のために実行するソフトウェアにおいて実装される。より具体的には、送信通信デバイス１０２に示す要素の各々は、単一のブロック／モジュールとして、または複数のブロック／モジュールとして実装され得る。
【００５０】
データ１０４は、オーバーヘッド（たとえば、制御）データおよび／またはペイロードデータを備え得る。たとえば、ペイロードデータは、ボイス、ビデオ、オーディオおよび／または他のデータを含み得る。オーバーヘッドデータは、データレート、変調およびコーディング方式（ＭＣＳ）、チャネル帯域幅などを指定する情報などの制御情報を含み得る。
【００５１】
いくつかの構成または事例では、データ１０４は繰り返しビットブロック／モジュール１０６に与えられ得、繰り返しビットブロック／モジュール１０６は、データ１０４からのビットを繰り返し得る（たとえば、ビットのコピーを生成し得る）。たとえば、送信帯域幅のために４０ＭＨｚ、８０ＭＨｚまたは１６０ＭＨｚが使用される場合、繰り返しビットブロック／モジュール１０６は、超高スループット信号フィールドＢ（ＶＨＴ−ＳＩＧ−Ｂ）のための信号ビット、テールビットおよび／または予約済みビットを繰り返し得る。たとえば、４０ＭＨｚが使用される場合、２０個の信号ビットと１つの予約済みビットと６つのテールビットとが割り振られ得、１回繰り返され得る（その結果、２０個の信号ビットと１つの予約済みビットと６つのテールビットとの２つのセットまたはコピーを生じる）。８０ＭＨｚが使用される場合、２０個の信号ビットと３つの予約済みビットと６つのテールビットとが割り振られ得、３回繰り返され得る（その結果、２０個の信号ビットと３つの予約済みビットと６つのテールビットとの４つのセットまたはコピーを生じる）。１６０ＭＨｚが使用される場合、２０個の信号ビットと３つの予約済みビットと６つのテールビットとが割り振られ得、３回繰り返されて、８０ＭＨｚ信号のためのビットのグループ（たとえば、２０個の信号ビットと３つの予約済みビットと６つのテールビットとの４つのコピーを含むグループ）を形成し得、次いで、そのグループは繰り返されるかまたはコピーされ得る。これにより、たとえば、ビットの２つのグループを生じ得、各グループは２０個の信号ビットと３つの予約済みビットと６つのテールビットとの４つのセットを含む。たとえば、８０ＭＨｚのＶＨＴ−ＳＩＧ−Ｂデータシンボルの２つのコピーが１６０ＭＨｚのために使用され得る。代替的に、（別の１６０ＭＨｚインターリーバ１１０が使用される場合）別のまたは異なるフォーマットが１６０ＭＨｚのために使用され得る。
【００５２】
（随意に繰り返される）データ１０４はチャネル符号器１０８に与えられ得る。チャネル符号器１０８は、前方誤り訂正（ＦＥＣ）、暗号化、パケット化および／またはワイヤレス送信とともに使用する知られている他の符号化のために、データ１０４を符号化し得る。たとえば、チャネル符号器１０８はバイナリ畳み込みコーディング（ＢＣＣ）を使用し得る。
【００５３】
符号化されたデータはインターリーバ１１０に与えられ得る。インターリーバ１１０は、一連のビットにわたってより一様にチャネル誤差を拡散するために、ビット順序を変更するか、またはビットをインターリーブし得る。インターリーブされたビットはコンスタレーションマッパー１１２に与えられ得る。いくつかの構成では、１６０ＭＨｚ信号のための別のインターリーバ１１０が設けられ得る。
【００５４】
コンスタレーションマッパー１１２は、インターリーバ１１０によって与えられたデータをコンスタレーションポイント（たとえば、複素数）にマッピングする。たとえば、コンスタレーションマッパー１１２は、２位相シフトキーイング（ＢＰＳＫ）、直交振幅変調（ＱＡＭ）などの変調方式を使用し得る。直交振幅変調（ＱＡＭ）が使用される場合、たとえば、コンスタレーションマッパー１１２は、ストリーム１５８当たり、サブキャリア１６０当たり、シンボル期間当たり２ビットを与え得る。さらに、コンスタレーションマッパー１１２は、ストリーム１５８ごと、データサブキャリア１６０ごと、シンボル期間ごとに１６ＱＡＭコンスタレーション信号を出力し得る。６４ＱＡＭなどの他の変調が使用され得、それにより、ストリーム１５８当たり、データサブキャリア１６０当たり、シンボル期間当たり６ビットの消費を生じるであろう。他の変形形態も可能である。一構成では、ＢＰＳＫ変調がＶＨＴ−ＳＩＧ−Ｂのために使用され得る。コンスタレーションマッパー１１２は、サブキャリア１６０に、いくつかのサブキャリア（たとえば、ＯＦＤＭトーン）１６０を割り振り、コンスタレーションポイント（たとえば、シンボル）をマッピングし得ることに留意されたい。
【００５５】
パイロット生成器１３６はパイロットシーケンスを生成し得る。パイロットシーケンスはパイロットシンボルのグループであり得る。一構成では、たとえば、パイロットシーケンス中の値は、特定の位相、振幅および／または周波数をもつ信号によって表され得る。たとえば、「１」は、特定の位相および／または振幅をもつパイロットシンボルを示し得るが、「−１」は、異なる（たとえば、逆（opposite）または逆（inverse））位相および／または振幅をもつパイロットシンボルを示し得る。
【００５６】
送信通信デバイス１０２は、いくつかの構成では擬似ランダム雑音生成器１３４を含み得る。擬似ランダム雑音生成器１３４は、パイロットシーケンスをスクランブルするために使用される擬似ランダム雑音系列または信号（たとえば、値）を生成し得る。たとえば、連続するＯＦＤＭシンボルのためのパイロットシーケンスは擬似ランダム雑音系列からの連続する数によって乗算され、それによって、ＯＦＤＭシンボルごとにパイロットシーケンスをスクランブルし得る。これは、式
【数９】
2013535144.tif 000012
【００５７】
に従って行われ得、ｐnは擬似ランダム雑音系列であり、
【数１０】
2013535144.tif 000013
【００５８】
はパイロットシーケンス（またはパイロットマッピング行列）であり、ｋはＯＦＤＭトーン（たとえば、サブキャリア１６０）インデックスである。一構成では、ＶＨＴ−ＳＩＧ−Ｂの場合、ｎ＝０およびｚ＝３である。パイロットシーケンスが受信通信デバイス１３８に送られると、受信したパイロットシーケンスはパイロットプロセッサ１４２によってスクランブル解除され得る。ＶＨＴ−データシンボルｎ＝０がＶＨＴ−ＳＩＧ−Ｂのために使用され得、第１のデータシンボルおよびＶＨＴ−ＳＩＧ−Ｂが両方ともデータシンボル数０を使用し得ることを意味することに留意されたい。また、パイロットスクランブルシーケンスｚ＝３は、ＶＨＴ−ＳＩＧ−Ｂのために使用され得ることに留意されたい。
【００５９】
パイロット挿入ブロック／モジュール１１４は、パイロットトーンをパイロットトーンサブキャリア１６０中に挿入する。たとえば、パイロットシーケンスは、マップ１１６に従って特定のインデックスにあるサブキャリア１６０にマッピングされ得る。たとえば、（スクランブルされた）パイロットシーケンスからのパイロットシンボルは、データサブキャリア１６０および／または他のサブキャリア１６０が点在しているパイロットサブキャリア１６０にマッピングされ得る。言い換えれば、パイロットシーケンスまたは信号はデータシーケンスまたは信号と合成され得る。いくつかの構成では、１つまたは複数の直流電流（ＤＣ）トーンがサブキャリアインデックス０を中心とし得る。
【００６０】
パイロット挿入ブロック／モジュール１１４によってＶＨＴ−ＳＩＧ−Ｂのために実行されるパイロットマッピングは、パケットまたはフレーム中のデータフィールドのために実行されるパイロットマッピングと同じであり得る。上記で説明したように、２０ＭＨｚ帯域幅が使用される場合、パイロットシンボルはサブキャリアインデックス｛−２１，−７，７，２１｝において挿入され得る。追加または代替として、４０ＭＨｚ帯域幅が使用される場合、パイロットシンボルはサブキャリアインデックス｛−５３，−２５，−１１，１１，２５，５３｝において挿入され得る。追加または代替として、８０ＭＨｚ帯域幅が使用される場合、パイロットシンボルはサブキャリアインデックス｛−１０３，−７５，−３９，−１１，１１，３９，７５，１０３｝において挿入され得る。１６０ＭＨｚ帯域幅の場合、たとえば、８０ＭＨｚ帯域幅のために使用されるインデックスが、２つの８０ＭＨｚ帯域幅において使用され得る。いくつかの構成では、ＶＨＴ−ＳＩＧ−Ｂのために使用されるサブキャリアの数は、（１つまたは複数の）ＶＨＴ−ＬＴＦと（１つまたは複数の）データフィールドとのために使用されるサブキャリアの数と同じであり得る。これは８０２．１１ａｃの場合であり得る。サブキャリアまたはトーン指数の例が与えられたが、他のサブキャリアまたはトーン指数が使用され得ることに留意されたい。
【００６１】
合成されたデータおよびパイロット信号１１８はスケーリングブロック／モジュール１２０に与えられ得る。スケーリングブロック／モジュール１２０はパイロットシンボルおよび／またはデータシンボルをスケーリングし得る。いくつかの構成では、スケーリングブロック／モジュール１２０は、データフィールドの場合と同様に、ＶＨＴ−ＳＩＧ−Ｂのためのパイロットシンボルおよび／またはデータシンボルをスケーリングする。一構成では、スケーリングは、シンボル値にスケーリング値を乗算することによって実行され得る。これは、８０２．１１ｎ仕様に従うプロシージャと同様であり得る。
【００６２】
スケーリングされた信号（たとえば、スケーリングブロック／モジュール１２０からの出力信号）はサイクリックシフトブロック／モジュール１２２に与えられ得る。サイクリックシフトブロック／モジュール１２２は、サイクリックシフトを、サイクリックシフトダイバーシティ（ＣＳＤ）のための１つまたは複数の空間ストリームまたは時空間ストリームに挿入し得る。一構成では、ＶＨＴ−ＳＩＧ−ＢのためのＮSTS個の時空間ストリームは、データフィールドのために使用されるのと同じＣＳＤ値を使用し得る。
【００６３】
一構成では、ＶＨＴ−ＳＩＧ−Ｂは、シングル空間ストリームシンボルとして（チャネル符号器１０８によって）符号化され、（インターリーバ１１０によって）インターリーブされ得る。ＶＨＴ−ＳＩＧ−Ｂのコンスタレーションマッパー１１２出力（またはパイロット挿入ブロック／モジュール１１４の出力、スケーリングブロック／モジュール１２０の出力、またはサイクリックシフトブロック／モジュール１２２の出力）は、ＮSTS個のストリーム１５８上にコピーされ得、ＮSTSは、対象とする受信通信デバイス１３８またはユーザのためのデータフィールド中の時空間ストリーム１５８の数である。たとえば、空間マッピングブロック／モジュール１２４は、ＶＨＴ−ＳＩＧ−ＢをＮSTS個の時空間ストリーム１５８または空間ストリーム１５８にマッピングし得る。
【００６４】
ＩＤＦＴブロック／モジュール１２６は、空間マッピングブロック／モジュール１２４によって与えられる信号に対して逆離散フーリエ変換を実行し得る。たとえば、逆離散フーリエ変換（ＩＤＦＴ）ブロック／モジュール１２６は、データ１０４の周波数信号と、挿入されたパイロットトーンとを、ストリーム１５８上の信号を表す時間領域信号および／またはシンボル期間の間の時間領域サンプルに変換する。一構成では、たとえば、ＩＤＦＴブロック／モジュール１２６は２５６点逆高速フーリエ変換（ＩＦＦＴ）を実行し得る。いくつかの構成では、ＩＤＦＴブロック／モジュール１２６はさらに、１つまたは複数の２０ＭＨｚサブバンドに位相回転を適用し得る。
【００６５】
ＩＤＦＴブロック／モジュール１２６から出力された信号はガードインターバルブロック／モジュール１２８に与えられ得る。ガードインターバルブロック／モジュール１２８は、ＩＤＦＴブロック／モジュール１２６から出力された信号にガードインターバルを挿入（たとえば、プリペンド）し得る。たとえば、ガードインターバルブロック／モジュール１２８は、フレームプリアンブル中の他のフィールドのためのガードインターバルと同じ長さである長いガードインターバルを挿入し得る。いくつかの構成では、ガードインターバルブロック／モジュール１２８はさらに、信号に対してウィンドウ処理を実行し得る。
【００６６】
ガードインターバルブロック／モジュール１２８の出力は送信（ＴＸ）無線周波数（ＲＦ）ブロック／モジュール１３０に与えられ得る。ＴＸ  ＲＦブロック／モジュール１３０は、ガードインターバルブロック／モジュール１２８の出力（たとえば、複合ベースバンド波形）をアップコンバートし、１つまたは複数のアンテナ１３２ａ〜ｎを使用して得られた信号を送信し得る。たとえば、１つまたは複数のＴＸ  ＲＦブロック／モジュール１３０は、無線周波数（ＲＦ）信号を１つまたは複数のアンテナ１３２ａ〜ｎに出力し得、それによって、１つまたは複数の受信通信デバイス１３８によって受信のために適切に構成されたワイヤレス媒体を介して、入力されたデータ１０４をチャネル符号器１０８に送信する。
【００６７】
送信通信デバイス１０２は、１つまたは複数の受信通信デバイス１３８への送信のために使用されるべきチャネル帯域幅を判断し得ることに留意されたい。この判断は、受信通信デバイス１３８互換性、（通信チャネルを使用すべき）受信通信デバイス１３８の数、チャネル品質（たとえば、チャネル雑音）および／または受信インジケータなどの１つまたは複数のファクタに基づき得る。一構成では、送信通信デバイス１０２は、信号送信のための帯域幅が２０ＭＨｚであるか、４０ＭＨｚであるか、８０ＭＨｚであるか、１６０ＭＨｚであるかを判断し得る。
【００６８】
送信通信デバイス１０２中に含まれる要素１０６、１０８、１１０、１１２、１１４、１２０、１２２、１２４、１２６、１２８、１３０、１３４、１３６のうちの１つまたは複数は、帯域幅判断に基づいて動作し得る。たとえば、繰り返しビットブロック／モジュール１０６は、信号送信のための帯域幅に基づいてビットを繰り返す（または繰り返さない）ことがある。さらに、パイロット生成器１３６は、信号送信のための帯域幅に基づいていくつかのパイロットトーンを生成し得る。たとえば、パイロット生成器１３６は、（３つのＤＣサブキャリア１６０とともに２３４個のデータトーンと８つのパイロットトーンとからなる、２４２個のＯＦＤＭトーンをもつ）８０ＭＨｚ信号のための８つのパイロットシンボルを生成し得る。
【００６９】
さらに、コンスタレーションマッパー１１２は、データ１０４をいくつかのＯＦＤＭトーンにマッピングし得、パイロット挿入ブロック／モジュール１１４は、信号送信のための帯域幅に基づいてパイロットトーンを挿入し得る。一例では、現在のフィールドがＶＨＴ−ＳＩＧ−Ｂであり、使用される帯域幅が８０ＭＨｚである場合、コンスタレーションマッパー１１２は、データ１０４を２３４個のＯＦＤＭトーンまたはサブキャリア１６０にマッピングし、ＤＣトーンとしてパイロットおよび３つのサブキャリア１６０のために８つのＯＦＤＭトーン（たとえば、サブキャリア１６０）を残し得る。いくつかの構成では、コンスタレーションマッパー１１２は、指定された帯域幅のために使用すべきトーンまたはサブキャリアの数を判断するためにルックアップテーブルを使用し得る。
【００７０】
さらに、パイロット挿入ブロック／モジュール１１４は、送信帯域幅に基づいてパイロットを挿入し得る。たとえば、８０ＭＨｚ帯域幅は、パイロットシンボルがインデックス−１０３、−７５、−３９、−１１、１１、３９、７５および１０３において挿入されるべきであることを示し得る。ＩＤＦＴブロック／モジュール１２６はさらに、信号送信のための帯域幅に基づいてサブバンド（たとえば、２０ＭＨｚサブバンド）を回転し得ることに留意されたい。
【００７１】
一構成では、判断された帯域幅が２０ＭＨｚである場合、送信通信デバイス１０２は、５６個のＯＦＤＭトーンをＶＨＴ−ＳＩＧ−Ｂフィールドのために割り振り、および／または５６個のＯＦＤＭトーンをデータフィールドのために割り振り得る。判断された帯域幅が４０ＭＨｚである場合、送信通信デバイス１０２は、１１４個のＯＦＤＭトーンをＶＨＴ−ＳＩＧ−Ｂフィールドのために割り振り、および／または１１４個のＯＦＤＭトーンをデータフィールドのために割り振り得る。帯域幅が８０ＭＨｚである場合、送信通信デバイス１０２は、２４２個のＯＦＤＭトーンをＶＨＴ−ＳＩＧ−Ｂフィールドのために割り振り、および／または２４２個のＯＦＤＭトーンをデータフィールドのために割り振り得る。帯域幅が１６０ＭＨｚである場合、送信通信デバイス１０２は、４８４個のＯＦＤＭトーンをＶＨＴ−ＳＩＧ−Ｂフィールドのために割り振り、および／または４８４個のＯＦＤＭトーンをデータフィールドのために割り振り得る。他の数のＯＦＤＭトーンが使用され得る。
【００７２】
異なるストリーム１５８上の送信が（ある確率で）受信通信デバイス１３８において区別可能であり得るように、１つまたは複数のストリーム１５８が送信通信デバイス１０２から送信され得る。たとえば、１つの空間次元にマッピングされるビットが１つのストリーム１５８として送信される。そのストリーム１５８は、他のアンテナ１３２とは空間的に別個のそれ自体のアンテナ１３２、複数の空間的に分離されたアンテナ１３２上のそれ自体の直交重ね合わせ、それ自体の偏波などの上で送信され得る。（たとえば、空間中でアンテナ１３２を分離すること、またはそれらの信号が受信機において識別されることを可能にするであろう他の技法を伴う）ストリーム１５８分離のための多くの技法が知られており、使用され得る。
【００７３】
図１に示す例では、同じまたは異なる数（たとえば、１つまたは複数）のアンテナ１３２ａ〜ｎを使用して送信される１つまたは複数のストリーム１５８がある。いくつかの事例では、１つまたは複数の他のストリーム１５８の非アクティブ化のために、ただ１つのストリーム１５８が利用可能であり得る。
【００７４】
送信通信デバイス１０２が複数の周波数サブキャリア１６０を使用する場合、コンスタレーションマッパー１１２がいくつかのビットを１つの周波数サブキャリア１６０にマッピングし、他のビットを別の周波数サブキャリア１６０にマッピングし得るように、周波数次元のための複数の値がある。他の周波数サブキャリア１６０は、データ１０４を搬送しない（または、常に搬送するとは限らない）ガードバンド、パイロットトーンサブキャリアなどとして予約され得る。たとえば、１つまたは複数のデータサブキャリア１６０および１つまたは複数のパイロットサブキャリア１６０があり得る。いくつかの事例または構成では、すべてのサブキャリア１６０が直ちに励起され得るとは限らないことに留意されたい。たとえば、いくつかのトーンが、フィルタ処理を可能にするために励起されないことがある。一構成では、送信通信デバイス１０２は、複数のサブキャリア１６０の送信のために直交周波数分割多重（ＯＦＤＭ）を利用し得る。たとえば、コンスタレーションマッパー１１２は、使用される多重化方式に従って、（符号化された）データ１０４を時間および／または周波数リソースにマッピングし得る。
【００７５】
時間次元はシンボル期間を指す。異なるビットは、異なるシンボル期間に割り振られ得る。複数のストリーム１５８、複数のサブキャリア１６０および複数のシンボル期間がある場合、１つのシンボル期間の間の送信は「ＯＦＤＭ（直交周波数分割多重）ＭＩＭＯ（多入力多出力）シンボル」と呼ばれることがある。単純なシンボル当たりのビット数（たとえば、使用されるコンスタレーションの数のｌｏｇ2）×ストリーム１５８の数×データサブキャリア１６０の数を乗算し、シンボル期間の長さによって除算されることで、符号化されたデータのための送信レートが判断され得る。
【００７６】
１つまたは複数の受信通信デバイス１３８は、送信通信デバイス１０２から信号を受信し、使用し得る。たとえば、受信通信デバイス１３８は、所与の数のＯＦＤＭトーンまたはサブキャリア１６０を受信するために、受信した帯域幅インジケータを使用し得る。追加または代替として、受信通信デバイス１３８は、送信通信デバイス１０２によって生成されたパイロットシーケンスを使用して、チャネル、送信機損傷および／または受信機損傷を特徴づけ、その特徴づけを使用して、送信において符号化されたデータ１０４の受信を改善し得る。
【００７７】
たとえば、受信通信デバイス１３８は、１つまたは複数の受信機無線周波数（ＲＸ  ＲＦ）ブロック／モジュール１５２に給電する（送信通信デバイス１０２アンテナ１３２ａ〜ｎの数および／またはストリーム１５８の数よりも多いか、少ないか、または等しくなり得る）１つまたは複数のアンテナ１５４ａ〜ｎを含み得る。１つまたは複数のＲＸ  ＲＦブロック／モジュール１５２は、アナログ信号を１つまたは複数のアナログデジタル変換器（ＡＤＣ）１５０に出力し得る。たとえば、受信機無線周波数ブロック１５２は信号を受信し、ダウンコンバートし得、その信号はアナログデジタル変換器１５０に与えられ得る。送信通信デバイス１０２の場合と同様に、処理されるストリーム１５８の数は、アンテナ１５４ａ〜ｎの数に等しいこともあるし、等しくないこともある。さらに、複数の受信機ストリームに着信するために様々なビームステアリング、直交化などの技法が使用され得るので、各空間ストリーム１５８は１つのアンテナ１５４に限定される必要はない。
【００７８】
１つまたは複数のアナログデジタル変換器（ＡＤＣ）１５０は、（１つまたは複数の）受信したアナログ信号を１つまたは複数のデジタル信号に変換し得る。１つまたは複数のアナログデジタル変換器（ＡＤＣ）１５０の（１つまたは複数の）出力は、１つまたは複数の時間および／または周波数同期ブロック／モジュール１４８に与えられ得る。時間および／または周波数同期ブロック／モジュール１４８は、時間および／または周波数においてデジタル信号を（たとえば、受信通信デバイス１３８クロックに）同期または整合させ得る（同期または整合させることを試み得る）。
【００７９】
時間および／または周波数同期（１つまたは複数の）ブロック／（１つまたは複数の）モジュール１４８の（同期した）出力は、１つまたは複数のデフォーマッタ１４６に与えられ得る。たとえば、デフォーマッタ１４６は、時間および／または周波数同期（１つまたは複数の）ブロック／（１つまたは複数の）モジュール１４８の出力を受信し、ガードインターバルなどを削除し、および／または離散フーリエ変換（ＤＦＴ）処理のためにデータを並列化し得る。
【００８０】
１つまたは複数のデフォーマッタ１４６出力は、１つまたは複数の離散フーリエ変換（ＤＦＴ）ブロック／モジュール１４４に与えられ得る。離散フーリエ変換（ＤＦＴ）ブロック／モジュール１４４は、１つまたは複数の信号を時間領域から周波数領域に変換し得る。パイロットプロセッサ１４２は、送信通信デバイス１０２によって（たとえば、ストリーム１５８、周波数サブキャリア１６０および／またはシンボル期間のグループにわたって）送られる１つまたは複数のパイロットトーンを判断するために、（たとえば、空間ストリーム１５８ごとに）周波数領域信号を使用し得る。パイロットプロセッサ１４２は、追加または代替としてパイロットシーケンスをデスクランブルし得る。パイロットプロセッサ１４２は、位相および／または周波数および／または振幅追跡のために、本明細書で説明する１つまたは複数のパイロットシーケンスを使用し得る。（１つまたは複数の）パイロットトーンは、時空間周波数検出および／または復号ブロック／モジュール１４０に与えられ得、時空間周波数検出および／または復号ブロック／モジュール１４０は、様々な次元にわたってデータを検出および／または復号し得る。時空間周波数検出および／または復号ブロック／モジュール１４０は、受信データ１６４（たとえば、送信通信デバイス１０２によって送信されたデータ１０４の受信通信デバイスの１３８の推定）を出力し得る。
【００８１】
いくつかの構成では、受信通信デバイス１３８は、全情報シーケンスの一部として送られる送信シーケンスを知っている。受信通信デバイス１３８は、これらの既知の送信シーケンスの助けをかりてチャネル推定を実行し得る。パイロットトーン追跡、処理および／またはデータ検出および復号を支援するために、チャネル推定ブロック／モジュール１５６は、時間および／または周波数同期ブロック／モジュール１４８からの出力に基づいて、パイロットプロセッサ１４２および／または時空間周波数検出および／または復号ブロック／モジュール１４０に推定信号を与え得る。代替的に、デフォーマッティングおよび離散フーリエ変換は、全情報シーケンスのペイロードデータ部分に関して既知の送信シーケンスのためのものと同じである場合、推定信号は、離散フーリエ変換（ＤＦＴ）ブロック／モジュール１４４からの出力に基づいてパイロットプロセッサ１４２および／または時空間周波数検出および／または復号ブロック／モジュール１４０に与えられ得る。
【００８２】
受信通信デバイス１３８はＶＨＴ−ＳＩＧ−Ｂを受信し得る。ＶＨＴ−ＳＩＧ−Ｂを復号するときに、（たとえば、チャネル推定ブロック／モジュール１５６によって与えられる）ＮSTSストリームチャネル推定値が利用可能であり得、ＮSTSは、１つの特定の受信通信デバイス１３８またはユーザのための時空間ストリームの数である。一構成では、時空間周波数検出／復号ブロック／モジュール１４０は次のように機能し得る。各サブキャリア１６０および各受信アンテナ１５４ａ〜ｎについて、すべてのＮSTS個のストリーム１５８についてのチャネル推定値が追加され得る。次いで、時空間周波数検出／復号ブロック／モジュール１４０は、この修正チャネル推定値を使用してシングルストリーム検出を実行し得る。代替的に、受信機復号は次のように行われ得る。時空間周波数検出／復号ブロック／モジュール１４０は多入力多出力（ＭＩＭＯ）受信処理を実行し得る。次いで、ＮSTS個のストリーム１５８がサブキャリア１６０ごとに平均化され得る。最後に、シングルストリームデインターリーブおよび復号が実行され得る。
【００８３】
いくつかの構成では、受信通信デバイス１３８は、（送信帯域幅と呼ばれることもある、受信した通信についての）チャネル帯域幅を判断し得る。たとえば、受信通信デバイス１３８は、チャネル帯域幅を示す送信通信デバイス１０２から帯域幅指示を受信し得る。たとえば、受信通信デバイス１３８は、明示的または暗黙的帯域幅指示を取得し得る。一構成では、帯域幅指示は、２０ＭＨｚ、４０ＭＨｚ、８０ＭＨｚまたは１６０ＭＨｚのチャネル帯域幅を示し得る。受信通信デバイス１３８は、この指示に基づいて受信した通信のための帯域幅を判断し、判断された帯域幅の指示をパイロットプロセッサ１４２および／または時空間周波数検出／復号ブロック／モジュール１４０に与え得る。
【００８４】
いくつかの構成では、判断された帯域幅が２０ＭＨｚである場合、受信通信デバイス１３８はＶＨＴ−ＳＩＧ−Ｂのための５６個のＯＦＤＭトーンを受信し、および／またはデータフィールドのための５６個のＯＦＤＭトーンを受信し得る。判断された帯域幅が４０ＭＨｚである場合、受信通信デバイス１３８はＶＨＴ−ＳＩＧ−Ｂフィールドのための１１４個のＯＦＤＭトーンを受信し、および／またはデータフィールドのための１１４個のＯＦＤＭトーンを受信し得る。帯域幅が８０ＭＨｚである場合、受信通信デバイス１３８はＶＨＴ−ＳＩＧ−Ｂフィールドのための２４２個のＯＦＤＭトーンを受信し、および／またはデータフィールドのための２４２個のＯＦＤＭトーンを受信し得る。帯域幅が１６０ＭＨｚである場合、受信通信デバイス１３８はＶＨＴ−ＳＩＧ−Ｂのための４８４個のＯＦＤＭトーンを受信し、および／またはデータフィールドのための４８４個のＯＦＤＭトーンを受信し得る。他の数のＯＦＤＭトーンが受信され得る。
【００８５】
パイロットプロセッサ１４２は、離散フーリエ変換ブロック／モジュール１４４出力からパイロットシンボルを抽出するために、判断された帯域幅指示を使用し得る。たとえば、受信通信デバイス１３８が、帯域幅が８０ＭＨｚであることを検出した場合、パイロットプロセッサ１４２は、インデックス−１０３、−７５、−３９、−１１、１１、３９、７５および１０３からパイロットシンボルを抽出し得る。
【００８６】
時空間周波数検出／復号ブロック／モジュール１４０は、受信信号からデータを検出および／または復号するために、判断された帯域幅指示を使用し得る。たとえば、現在のフィールドがＶＨＴ−ＳＩＧ−Ｂフィールドであり、判断された帯域幅指示が、帯域幅が８０ＭＨｚであることを明示した場合、（たとえば、８つのＯＦＤＭトーンがパイロットトーンであり、３つのサブキャリア１６０がＤＣトーンのために使用されるが）時空間周波数検出／復号ブロック／モジュール１４０は、２３４個のＯＦＤＭトーンまたはサブキャリア１６０からプリアンブルデータを検出および／または復号し得る。いくつかの構成では、時空間周波数検出／復号ブロック／モジュール１４０は、指定された帯域幅のために受信すべきトーンまたはサブキャリア１６０の数を判断するために、ルックアップテーブルを使用し得る。
【００８７】
図２は、本明細書で開示するシステムおよび方法に従って使用され得る通信フレーム２００の一例を示す図である。フレーム２００は、プリアンブルシンボル、パイロットシンボルおよび／またはデータシンボルのための１つまたは複数のセクションまたはフィールドを含み得る。たとえば、フレーム２００は、８０２．１１ａｃプリアンブル２７４とデータフィールド２８２（たとえば、データフィールドまたはＶＨＴ−ＤＡＴＡフィールド）とを備え得る。一構成では、８０２．１１ａｃプリアンブル２７４は持続時間４０〜６８μｓを有し得る。プリアンブル２７４および／またはパイロットシンボルは、フレーム２００中に含まれるデータを同期させ、検出し、復調し、および／または復号するために（たとえば、受信通信デバイス１３８によって）使用され得る。
【００８８】
いくつかのフィールドを含む、８０２．１１ａｃプリアンブル２７４をもつフレーム２００は構造化され得る。一構成では、８０２．１１ａｃフレーム２００は、レガシーショートトレーニングフィールドまたは非高スループットショートトレーニングフィールド（Ｌ−ＳＴＦ）２６６と、レガシーロングトレーニングフィールドまたは非高スループットロングトレーニングフィールド（Ｌ−ＬＴＦ）２６８と、レガシー信号フィールドまたは非高スループット信号フィールド（Ｌ−ＳＩＧ）２７０と、１つまたは複数の超高スループット信号シンボルまたはフィールドＡ（ＶＨＴ−ＳＩＧ−Ａ）２７２（たとえば、ＶＨＴ−ＳＩＧ−Ａ１、ＶＨＴ−ＳＩＧ−Ａ２など）と、超高スループットショートトレーニングフィールド（ＶＨＴ−ＳＴＦ）２７６と、１つまたは複数の超高スループットロングトレーニングフィールド（ＶＨＴ−ＬＴＦ）２７８と、超高スループット信号フィールドＢ（ＶＨＴ−ＳＩＧ−Ｂ）２８０と、データフィールド（データ）２８２とを含み得る。
【００８９】
８０２．１１ａｃプリアンブル２７４は、（たとえば、以前の８０２．１１仕様との）後方互換性に適応し得る。プリアンブル２７４の第１の部分は、Ｌ−ＳＴＦ２６６とＬ−ＬＴＦ２６８とＬ−ＳＩＧ２７０とＶＨＴ−ＳＩＧ−Ａ２７２とを含み得る。プリアンブル２７４のこの第１の部分は、レガシーデバイス（たとえば、レガシーまたは以前の仕様に準拠するデバイス）によって復号可能であり得る。
【００９０】
プリアンブル２７４の第２の部分は、ＶＨＴ−ＳＴＦ２７６と１つまたは複数のＶＨＴ−ＬＴＦ２７８とＶＨＴ−ＳＩＧ−Ｂ２８０とを含む。プリアンブル２７４の第２の部分は、レガシーデバイスによって（またはすべての８０２．１１ａｃデバイスによっても）復号可能でないことがある。
【００９１】
８０２．１１ａｃプリアンブル２７４は、レガシー８０２．１１ａおよび８０２．１１ｎ受信機によって復号可能であるいくつかの制御データを含み得る。この制御データはＬ−ＳＩＧ２７０中に含まれ得る。すべてのデバイスが、ある正確な時間量の間それらの送信を延期し得るので、Ｌ−ＳＩＧ２７０中のデータは、送信がどのくらい長くワイヤレス媒体を占有するかをすべての受信機に通知する。さらに、８０２．１１ａｃプリアンブル２７４は、８０２．１１ａｃデバイスがその送信を８０２．１１ａｃ送信として識別すること（およびその送信が８０２．１１ａまたは８０２．１１ｎフォーマットであると判断することを回避すること）を可能にする。
【００９２】
本明細書で開示するシステムおよび方法によれば、８０ＭＨｚ８０２．１１ａｃ信号のためのいくつかのデータおよびパイロットトーンが使用され得る。これは、２０ＭＨｚ８０２．１１ｎおよび４０ＭＨｚ８０２．１１ｎ信号のためのデータおよびパイロットトーンの数と比較され得る。２０ＭＨｚ８０２．１１ｎ信号は、１つの直流電流（ＤＣ）トーンとともに５６個のトーン（５２個のデータ、４つのパイロット）を使用する。４０ＭＨｚ８０２．１１ｎ信号は、３つのＤＣトーンとともに１１４個のトーン（１０８個のデータ、６つのパイロット）を使用する。本明細書で開示するシステムおよび方法の一構成では、２４２個のトーン（たとえば、２３４個のデータトーンおよび８つのパイロットトーン）は、８０ＭＨｚ８０２．１１ａｃ信号のために３つのＤＣトーンとともに使用され得る。
【００９３】
使用され得るトーン割振りの一例を表（２）に示す。より具体的には、表（２）に、様々な信号帯域幅の場合の８０２．１１ａｃ送信のために利用され得るＯＦＤＭトーン（たとえば、サブキャリア）の数を示す。
【表２】
2013535144.tif 000014
【００９４】
１つまたは複数のＶＨＴ−ＬＴＦ２７８、ＶＨＴ−ＳＩＧ−Ｂフィールド２８０およびデータフィールド２８２は、プリアンブル２７４の第１の部分よりも多くのＯＦＤＭトーンを利用し得る。これらのフィールド２７８、２８０の各々は、データフィールド２８２と同じ数のトーンを利用し得る。２０ＭＨｚおよび４０ＭＨｚ８０２．１１ａｃ送信の場合、トーンの数は、８０２．１１ｎ標準に一致するように選定され得る。８０ＭＨｚおよび１６０ＭＨｚ８０２．１１ａｃ送信の場合、トーンの数は、それぞれ２４２個および４８４個になるように選定され得る。
【００９５】
２０ＭＨｚ８０２．１１ａｃ送信の場合、たとえば、ＢＰＳＫおよび１／２レートコーディングが使用される場合、ＶＨＴ−ＳＩＧ−Ｂフィールド２８０はデータの２６ビットを搬送する。４０ＭＨｚ８０２．１１ａｃ送信の場合、たとえば、ＶＨＴ−ＳＩＧ−Ｂフィールド２８０は、一意のデータの５４ビット、あるいはデータの２７ビットの２つのコピーまたはセットのいずれかを搬送し得る。ＶＨＴ−ＳＩＧ−Ｂフィールド２８０の８０ＭＨｚ送信は、たとえば、データの２９ビットの４つのコピーまたはセット、データの５８ビットの２つのコピーまたはセット、あるいはデータの１１７ビットを搬送し得る。１６０ＭＨｚ送信の場合、同様の選択が行われ得る。たとえば、１６０ＭＨｚ送信は、８０ＭＨｚＶＨＴ−ＳＩＧ−Ｂビットの２つのコピーを使用し得るか、（データの２９ビットの）８つのコピーを使用し得るか、または別のフォーマットを使用し得る。
【００９６】
図３は、ＶＨＴ−ＳＩＧ−Ｂ３００の例を示す図である。特に、図３に、２０ＭＨｚ送信の場合のＶＨＴ−ＳＩＧ−Ｂの例と、４０ＭＨｚ送信の場合のＶＨＴ−ＳＩＧ−Ｂの例と、８０ＭＨｚ送信の場合のＶＨＴ−ＳＩＧ−Ｂの例とを示す。
【００９７】
図３に示す構成では、ＶＨＴ−ＳＩＧ−Ｂは、２０ＭＨｚ送信の場合、２０個の信号ビット３８４ａと６つのテールビット３８６ａとを含み得る。ＶＨＴ−ＳＩＧ−Ｂは、４０ＭＨｚ送信の場合、２０個の信号ビット３８４ｂ、１つの予約済みビット３８８ｂおよび６つのテールビット３８６ｂ、ならびに繰り返しビット３９０の１つのセットを含み得る（その結果、２つのセットまたはコピーを生じる）。この場合、繰り返しビット３９０のセットは、２０個の信号ビット３８４ｃと１つの予約済みビット３８８ｃと６つのテールビット３８６ｃとを含み得る。
【００９８】
ＶＨＴ−ＳＩＧ−Ｂは、８０ＭＨｚ送信の場合、２０個の信号ビット３８４ｄ、３つの予約済みビット３８８ｄおよび６つのテールビット３８６ｄ、ならびに繰り返しビット３９２ａ〜ｃの３つのセットを含み得る（その結果、４つのセットまたはコピーを生じる）。この場合、繰り返しビットＡ３９２ａは、２０個の信号ビット３８４ｅと３つの予約済みビット３８８ｅと６つのテールビット３８６ｅとを含み得る。さらに、繰り返しビットＢ３９２ｂは、２０個の信号ビット３８４ｆと３つの予約済みビット３８８ｆと６つのテールビット３８６ｆとを含み得る。さらに、繰り返しビットＣ３９２ｃは、２０個の信号ビット３８４ｇと３つの予約済みビット３８８ｇと６つのテールビット３８６ｇとを含み得る。
【００９９】
信号ビット３８４は、パケット長指示（たとえば、４バイトワード長指示は８０２．１１ａｃにおいて使用され得る）と、変調およびコーディング方式情報と巡回冗長検査（ＣＲＣ）情報とを含み得ることに留意されたい。テールビット３８６は、畳み込み符号器を既知の０状態に戻す０入力ビットであり得る。予約済みビット３８８は、まだどの機能もシグナリングしないが、（たとえば、将来の標準更新において）将来使用され得るビットであり得る。一構成では、８０ＭＨｚ送信の場合に示されるビットは、１６０ＭＨｚ送信の場合に繰り返され得る（その結果、８０ＭＨｚ送信の場合に説明したビットの２つのグループを生じる）。
【０１００】
図４は、本明細書で開示するシステムおよび方法による、ＶＨＴ−ＳＩＧ−Ｂのための８０ＭＨｚ信号４９８の場合のデータおよびパイロットトーンの一例を示す図である。また、ＶＨＴ−ＳＩＧ−Ｂのための２０ＭＨｚ信号４９４の場合のデータおよびパイロットトーン、ならびにＶＨＴ−ＳＩＧ−Ｂのための４０ＭＨｚ信号４９６の場合のデータおよびパイロットトーンが示されている。本明細書で開示するシステムおよび方法によれば、８０ＭＨｚ８０２．１１ａｃ信号４９８の場合のある数のデータトーンおよびパイロットトーン４０９ａ〜ｈが、ＶＨＴ−ＳＩＧ−Ｂのために使用され得る。これは、ＶＨＴ−ＳＩＧ−Ｂのための２０ＭＨｚ信号４９４の場合のデータトーンおよびパイロットトーン４０１ａ〜ｄの数、ならびにＶＨＴ−ＳＩＧ−Ｂのための４０ＭＨｚ信号４９６の場合のデータトーンおよびパイロットトーン４０５ａ〜ｆの数と比較され得る。
【０１０１】
ＶＨＴ−ＳＩＧ−Ｂのための２０ＭＨｚ信号４９４は、１つの直流電流（ＤＣ）トーン４０３とともに、５２個のデータトーンと４つのパイロットトーン４０１ａ〜ｄとを含む５６個のトーンを使用する。データトーンおよびパイロットトーン４０１ａ〜ｄは、サブキャリア数またはインデックス４１３に従って配置され得る。たとえば、パイロットＡ４０１ａは−２１に配置され、パイロットＢ４０１ｂは−７に配置され、パイロットＣ４０１ｃは７に配置され、パイロットＤ４０１ｄは２１に配置される。この場合、単一のＤＣトーン４０３は０に配置される。
【０１０２】
ＶＨＴ−ＳＩＧ−Ｂのための４０ＭＨｚ信号４９６は、３つのＤＣトーン４０７とともに、１０８個のデータトーンと６つのパイロットトーン４０５ａ〜ｆとを含む１１４個のトーンを使用する。データトーンおよびパイロットトーン４０５ａ〜ｆは、サブキャリア数またはインデックス４１５に従って配置され得る。たとえば、パイロットＡ４０５ａは−５３に配置され、パイロットＢ４０５ｂは−２５に配置され、パイロットＣ４０５ｃは−１１に配置され、パイロットＤ４０５ｄは１１に配置され、パイロットＥ４０５ｅは２５に配置され、パイロットＦ４０５ｆは５３に配置される。この場合、３つのＤＣトーン４０７は−１、０および１に配置される。
【０１０３】
ＶＨＴ−ＳＩＧ−Ｂのための８０ＭＨｚ信号４９８は、３つのＤＣトーン４１１とともに２３４個のデータトーンと８つのパイロットトーン４０９ａ〜ｈとを含む、２４２個のトーンを使用する。データトーンおよびパイロットトーン４０９ａ〜ｈは、サブキャリア数またはインデックス４１７に従って配置され得る。たとえば、パイロットＡ４０９ａは−１０３に配置され、パイロットＢ４０９ｂは−７５に配置され、パイロットＣ４０９ｃは−３９に配置され、パイロットＤ４０９ｄは−１１に配置され、パイロットＥ４０９ｅは１１に配置され、パイロットＦ４０９ｆは３９に配置され、パイロットＧ４０９ｇは７５に配置され、パイロットＨ４０９ｈは１０３に配置される。この場合、３つのＤＣトーン４１１は−１、０および１に配置される。送信通信デバイス１０２が８０ＭＨｚのチャネル帯域幅を判断するとき、たとえば、送信通信デバイス１０２は、図４に示す信号４９８に従って、サブキャリア１６０をデータトーンおよびパイロットトーン４０９ａ〜ｈのために割り振り得る。さらに、受信通信デバイス１３８が８０ＭＨｚのチャネル帯域幅を判断するとき、たとえば、受信通信デバイス１３８は、図４に示す信号４９８に従ってデータおよびパイロットトーン４０９ａ〜ｈのためのサブキャリア１６０を受信し得る。１６０ＭＨｚ信号が使用されるとき、一構成では、８０ＭＨｚ信号４９８の２つのコピーが（２つの８０ＭＨｚ帯域上で）使用され得ることに留意されたい。
【０１０４】
図５は、通信デバイス上でフィールドフォーマットを使用するための方法５００の一構成を示す流れ図である。５０２において、通信デバイス（たとえば、送信通信デバイス１０２）が、少なくとも２０個の信号ビットと６つのテールビットとを超高スループット信号フィールドＢ（ＶＨＴ−ＳＩＧ−Ｂ）のために割り振る。
【０１０５】
たとえば、ＶＨＴ−ＳＩＧ−Ｂは、２０ＭＨｚ送信の場合、２０個の信号ビット３８４ａと６つのテールビット３８６ａとを含み得る。別の例では、ＶＨＴ−ＳＩＧ−Ｂは、４０ＭＨｚ送信の場合、２０個の信号ビット３８４ｂ、１つの予約済みビット３８８ｂおよび６つのテールビット３８６ｂ、ならびに繰り返しビット３９０の１つのセットを含み得る。この場合、繰り返しビット３９０のセットは、２０個の信号ビット３８４ｃと１つの予約済みビット３８８ｃと６つのテールビット３８６ｃとを含み得る。
【０１０６】
さらに別の例では、ＶＨＴ−ＳＩＧ−Ｂは、８０ＭＨｚ送信の場合、２０個の信号ビット３８４ｄ、３つの予約済みビット３８８ｄおよび６つのテールビット３８６ｄ、ならびに繰り返しビット３９２ａ〜ｃの３つのセットを含み得る。この場合、繰り返しビットＡ３９２ａは、２０個の信号ビット３８４ｅと３つの予約済みビット３８８ｅと６つのテールビット３８６ｅとを含み得る。さらに、繰り返しビットＢ３９２ｂは、２０個の信号ビット３８４ｆと３つの予約済みビット３８８ｆと６つのテールビット３８６ｆとを含み得る。さらに、繰り返しビットＣ３９２ｃは、２０個の信号ビット３８４ｇと３つの予約済みビット３８８ｇと６つのテールビット３８６ｇとを含み得る。一構成では、８０ＭＨｚ送信の場合に使用されるビットは、１６０ＭＨｚ送信の場合に繰り返され得る（その結果、８０ＭＨｚ送信の場合に説明したビットの２つのグループを生じる）。別の構成では、１６０ＭＨｚ送信の場合（たとえば、別の１６０ＭＨｚインターリーバ１１０が使用される場合）別のフォーマットが使用され得る。
【０１０７】
５０４において、通信デバイス（たとえば、送信通信デバイス１０２）は、超高スループットロングトレーニングフィールド（ＶＨＴ−ＬＴＦ）とデータフィールドとのためのサブキャリア１６０の数と同じ数のサブキャリア１６０をＶＨＴ−ＳＩＧ−Ｂのために使用する。２０ＭＨｚ送信の場合、たとえば、通信デバイスは、５６個のサブキャリア１６０（たとえば、ＯＦＤＭトーン）をＶＨＴ−ＳＩＧ−Ｂのために割り振り得るが、５６個のサブキャリア１６０はＶＨＴ−ＬＴＦのために割り振られ得、５６個のサブキャリア１６０はデータフィールドのために割り振られ得る。４０ＭＨｚ送信の場合、たとえば、通信デバイスは、１１４個のサブキャリア１６０（たとえば、ＯＦＤＭトーン）をＶＨＴ−ＳＩＧ−Ｂのために割り振り得るが、１１４個のサブキャリア１６０はＶＨＴ−ＬＴＦのために割り振られ得、１１４個のサブキャリア１６０はデータフィールドのために割り振られ得る。８０ＭＨｚ送信の場合、たとえば、通信デバイスは、２４２個のサブキャリア１６０（たとえば、ＯＦＤＭトーン）をＶＨＴ−ＳＩＧ−Ｂのために割り振り得るが、２４２個のサブキャリア１６０はＶＨＴ−ＬＴＦのために割り振られ得、２４２個のサブキャリア１６０はデータフィールドのために割り振られ得る。１６０ＭＨｚ送信の場合、たとえば、通信デバイスは、４８４個のサブキャリア１６０（たとえば、ＯＦＤＭトーン）をＶＨＴ−ＳＩＧ−Ｂのために割り振り得るが、４８４個のサブキャリア１６０はＶＨＴ−ＬＴＦのために割り振られ得、４８４個のサブキャリア１６０はデータフィールドのために割り振られ得る。
【０１０８】
５０６において、通信デバイス（たとえば、送信通信デバイス１０２）は、データフィールドのためのパイロットマッピングと同じパイロットマッピング（たとえば、マップ１１６）をＶＨＴ−ＳＩＧ−Ｂのために適用する。２０ＭＨｚ送信の場合、たとえば、通信デバイスは、ＶＨＴ−ＳＩＧ−Ｂとデータフィールドとのためにサブキャリアインデックス番号−２１、−７、７、２１においてパイロットシンボルをサブキャリア１６０中に挿入し得る。これは、上記の式（１）に示すように行われ得る。この場合、ＶＨＴ−ＳＩＧ−Ｂについて、ｎ＝０およびｚ＝３である。
【０１０９】
４０ＭＨｚ送信の場合、たとえば、通信デバイスは、ＶＨＴ−ＳＩＧ−Ｂとデータフィールドとのためにサブキャリアインデックス番号−５３、−２５、−１１、１１、２５、５３においてパイロットシンボルをサブキャリア１６０中に挿入し得る。これは、上記の式（２）に示すように行われ得る。この場合、ＶＨＴ−ＳＩＧ−Ｂについて、ｎ＝０およびｚ＝３である。
【０１１０】
８０ＭＨｚ送信の場合、たとえば、通信デバイスは、ＶＨＴ−ＳＩＧ−Ｂとデータフィールドとのためにサブキャリアインデックス番号−１０３、−７５、−３９、−１１、１１、３９、７５、１０３においてパイロットシンボルをサブキャリア１６０中に挿入し得る。これは、上記の式（３）に示すように行われ得る。この場合、ＶＨＴ−ＳＩＧ−Ｂについて、ｎ＝０およびｚ＝３である。１６０ＭＨｚ送信の場合、通信デバイスは、一構成では８０ＭＨｚ信号の２つのコピーを使用し得る。したがって、１６０ＭＨｚ信号のためのパイロットマッピングは、各コピーについて、８０ＭＨｚ信号の場合に説明したパイロットマッピングと同様であり得る。
【０１１１】
５０８において、通信デバイス（たとえば、送信通信デバイス１０２）はＶＨＴ−ＳＩＧ−Ｂを送信する。たとえば、送信通信デバイス１０２は、１つまたは複数のアンテナ１３６ａ〜ｎを使用して、ＶＨＴ−ＳＩＧ−Ｂを受信通信デバイス１３８に送信し得る。
【０１１２】
図６は、通信デバイス上でフィールドフォーマットを使用するための方法６００のより具体的な構成を示す流れ図である。上記で説明したように、通信デバイス（たとえば、送信通信デバイス１０２）は、信号送信のための帯域幅を判断し得る。信号送信のための帯域幅が２０ＭＨｚである場合、６０２において、通信デバイスは２０個の信号ビットと６つのテールビットとを超高スループット信号フィールドＢ（ＶＨＴ−ＳＩＧ−Ｂ）のために割り振る。信号送信のための帯域幅が４０ＭＨｚである場合、６０４において、通信デバイスは、ＶＨＴ−ＳＩＧ−Ｂのために、２０個の信号ビットと１つの予約済みビットと６つのテールビットとのセットを割り振り、そのセットを繰り返す（その結果、２つのセットまたはコピーを生じる）。信号送信のための帯域幅が８０ＭＨｚである場合、６０６において、通信デバイスは、ＶＨＴ−ＳＩＧ−Ｂのために、２０個の信号ビットと３つの予約済みビットと６つのテールビットとのセットを割り振り、そのセットを３回繰り返す（その結果、４つのセットまたはコピーを生じる）。
【０１１３】
信号送信のための帯域幅が１６０ＭＨｚである場合、６０８において、通信デバイスは、ＶＨＴ−ＳＩＧ−Ｂのために、８０ＭＨｚ信号送信の場合と同様のビットのグループ（たとえば、２０個の信号ビットと３つの予約済みビットと６つのテールビットとの４つのセットまたはコピー）を割り振り、ビットのグループを繰り返す（その結果、８つのセットまたはコピーを生じる）。代替的に、信号送信のための帯域幅が１６０ＭＨｚである場合、（たとえば、別の１６０ＭＨｚインターリーバ１１０が使用される場合）通信デバイスは、ＶＨＴ−ＳＩＧ−Ｂのための別のフォーマットを使用し得る。ビットを繰り返すことは、帯域幅のために（たとえば、２０個の予約済みビットよりも大きい）追加のビットを与え得る。これは、受信機（たとえば、受信通信デバイス１３８）が、デコーダ入力において繰り返されるソフト値を平均化することによって処理利得を得るための方法をも与え得る。
【０１１４】
６１０において、通信デバイス（たとえば、送信通信デバイス１０２）は、超高スループットロングトレーニングフィールド（ＶＨＴ−ＬＴＦ）とデータフィールドとのためのサブキャリア１６０の数と同じ数のサブキャリア１６０をＶＨＴ−ＳＩＧ−Ｂのために使用する。２０ＭＨｚ送信の場合、たとえば、通信デバイスは、５６個のサブキャリア１６０（たとえば、ＯＦＤＭトーン）をＶＨＴ−ＳＩＧ−Ｂのために割り振り得るが、５６個のサブキャリア１６０はＶＨＴ−ＬＴＦのために割り振られ得、５６個のサブキャリア１６０はデータフィールドのために割り振られ得る。４０ＭＨｚ送信の場合、たとえば、通信デバイスは、１１４個のサブキャリア１６０（たとえば、ＯＦＤＭトーン）をＶＨＴ−ＳＩＧ−Ｂのために割り振り得るが、１１４個のサブキャリア１６０はＶＨＴ−ＬＴＦのために割り振られ得、１１４個のサブキャリア１６０はデータフィールドのために割り振られ得る。８０ＭＨｚ送信の場合、たとえば、通信デバイスは、２４２個のサブキャリア１６０（たとえば、ＯＦＤＭトーン）をＶＨＴ−ＳＩＧ−Ｂのために割り振り得るが、２４２個のサブキャリア１６０はＶＨＴ−ＬＴＦのために割り振られ得、２４２個のサブキャリア１６０はデータフィールドのために割り振られ得る。１６０ＭＨｚ送信の場合、たとえば、通信デバイスは、４８４個のサブキャリア１６０（たとえば、ＯＦＤＭトーン）をＶＨＴ−ＳＩＧ−Ｂのために割り振り得るが、４８４個のサブキャリア１６０はＶＨＴ−ＬＴＦのために割り振られ得、４８４個のサブキャリア１６０はデータフィールドのために割り振られ得る。
【０１１５】
ＶＨＴ−ＳＩＧ−Ｂにおいて、パイロットおよびスケーリングが、データフィールドのためのパイロットおよびスケーリングと同様に行われ得ることに留意されたい。これは、（たとえば、ＶＨＴ−ＳＩＧ−Ａのような）８０２．１１ａトーンを複製することを伴う問題を回避し得る。しかしながら、ＶＨＴ−ＳＩＧ−Ｂのための電力スケーリングは、（たとえば、８０２．１１ｎ高スループット（ＨＴ）複製と同様の）ＶＨＴ−ＳＩＧ−Ａのための電力スケーリングとは異なり得る。ＶＨＴ−ＬＴＦが、ＶＨＴ−ＳＩＧ−Ａとは異なる数のパイロットと異なるパイロットマッピングとを有し得るので、パイロットマッピングおよびパイロット処理は、ＶＨＴ−ＳＩＧ−Ａのためのパイロットマッピングおよびパイロット処理とは異なり得る。
【０１１６】
６１２において、通信デバイス（たとえば、送信通信デバイス１０２）は、データフィールドのためのパイロットマッピングと同じパイロットマッピング（たとえば、マップ１１６）をＶＨＴ−ＳＩＧ−Ｂのために適用する。２０ＭＨｚ送信の場合、たとえば、通信デバイスは、ＶＨＴ−ＳＩＧ−Ｂとデータフィールドとのためにサブキャリアインデックス番号−２１、−７、７、２１においてパイロットシンボルをサブキャリア１６０中に挿入し得る。これは、上記の式（１）に示すように行われ得る。この場合、ＶＨＴ−ＳＩＧ−Ｂについて、シンボルインデックスｎ＝０およびパイロットスクランブルシーケンスｚ＝３である。
【０１１７】
４０ＭＨｚ送信の場合、たとえば、通信デバイスは、ＶＨＴ−ＳＩＧ−Ｂとデータフィールドとのためにサブキャリアインデックス番号−５３、−２５、−１１、１１、２５、５３においてパイロットシンボルをサブキャリア１６０中に挿入し得る。これは、上記の式（２）に示すように行われ得る。この場合、ＶＨＴ−ＳＩＧ−Ｂについて、シンボルインデックスｎ＝０およびパイロットスクランブルシーケンスｚ＝３である。
【０１１８】
８０ＭＨｚ送信の場合、たとえば、通信デバイスは、ＶＨＴ−ＳＩＧ−Ｂとデータフィールドとのためにサブキャリアインデックス番号−１０３、−７５、−３９、−１１、１１、３９、７５、１０３においてパイロットシンボルをサブキャリア１６０中に挿入し得る。これは、上記の式（３）に示すように行われ得る。この場合、ＶＨＴ−ＳＩＧ−Ｂについて、シンボルインデックスｎ＝０およびパイロットスクランブルシーケンスｚ＝３である。１６０ＭＨｚ送信の場合、通信デバイスは、一構成では８０ＭＨｚ信号の２つのコピーを使用し得る。したがって、１６０ＭＨｚ信号のためのパイロットマッピングは、各コピーについて、８０ＭＨｚ信号の場合に説明したパイロットマッピングと同様であり得る。
【０１１９】
６１４において、通信デバイス（たとえば、送信通信デバイス１０２）は、ＶＨＴ−ＳＩＧ−Ｂをいくつかの時空間ストリーム（たとえば、ストリーム１５８）上にコピーする。たとえば、ＶＨＴ−ＳＩＧ−Ｂは、時空間ストリーム１５８上に複製され得る。一構成では、ＶＨＴ−ＳＩＧ−Ｂは、シングル空間ストリームシンボルとして符号化され、インターリーブされ得る。たとえば、ＶＨＴ−ＳＩＧ−ＢがＮSTS個のストリーム１５８上にコピーされ得、ＮSTSは、対象とする受信機、デバイスまたはユーザ（たとえば、受信通信デバイス１３８）のためのデータフィールド中の時空間ストリーム１５８の数である。ＶＨＴ−ＳＩＧ−ＢのためのＮSTS個の時空間ストリーム１５８は、データフィールドで使用するものと同じサイクリックシフトダイバーシティ（ＣＳＤ）値を使用し得る。たとえば、通信デバイスは、ＶＨＴ−ＳＩＧ−ＢのためのＮSTS個の時空間ストリーム１５８に、データフィールド中のＮSTS個の時空間ストリーム１５８のためのサイクリックシフト値と同じサイクリックシフト値を適用し得る。
【０１２０】
６１６において、通信デバイス（たとえば、送信通信デバイス１０２）は、ＶＨＴ−ＳＩＧ−Ｂに長いガードインターバルを適用する。これは、たとえば、パケットまたはフレームのプリアンブル部分全体において同じガードインターバルを維持するために行われ得る。たとえば、６１６において、送信通信デバイス１０２は、ＶＨＴ−ＳＩＧ−Ｂに、パケットまたはフレームのプリアンブル中の他のフィールド（たとえば、ＶＨＴ−ＬＴＦ）に適用される同じガードインターバルを適用し得る。
【０１２１】
６１８において、通信デバイス（たとえば、送信通信デバイス１０２）はＶＨＴ−ＳＩＧ−Ｂを送信する。たとえば、６１８において、送信通信デバイス１０２は、１つまたは複数のアンテナ１３６ａ〜ｎを使用して、ＶＨＴ−ＳＩＧ−Ｂを受信通信デバイス１３８に送信し得る。
【０１２２】
図７は、通信デバイス上でフィールドフォーマットを使用するための方法７００の別の構成を示す流れ図である。７０２において、通信デバイス（たとえば、受信通信デバイス１３８）は、いくつかの時空間ストリーム（たとえば、ストリーム１５８）上でＶＨＴ−ＳＩＧ−Ｂを受信する。一構成では、通信デバイス（たとえば、受信通信デバイス１３８）は、ＮSTSストリーム１５８チャネル推定値を取得し得、ＮSTSは、１つの特定の受信機、デバイスまたはユーザ（たとえば、受信通信デバイス１３８）のための時空間ストリーム１５８の数である。
【０１２３】
通信デバイス（たとえば、受信通信デバイス１３８）によって受信されたＶＨＴ−ＳＩＧ−Ｂは、送信帯域幅に基づいて上記で説明したのと同じフォーマットを有し得る。たとえば、信号送信のための帯域幅が２０ＭＨｚである場合、ＶＨＴ−ＳＩＧ−Ｂは２０個の信号ビットと６つのテールビットとを備え得る。信号送信のための帯域幅が４０ＭＨｚである場合、ＶＨＴ−ＳＩＧ−Ｂは、２０個の信号ビットと１つの予約済みビットと６つのテールビットとのセットを備え得、そのセットは１回繰り返される（その結果、２つの同じセット、または２つのコピーを生じる）。信号送信のための帯域幅が８０ＭＨｚである場合、ＶＨＴ−ＳＩＧ−Ｂは２０個の信号ビットと３つの予約済みビットと６つのテールビットとのセットを備え得、そのセットは３回繰り返される（その結果、４つの同じセット、または４つのコピーを生じる）。信号送信のための帯域幅が１６０ＭＨｚである場合、ＶＨＴ−ＳＩＧ−Ｂはビットの２つのグループを備え得、各々が８０ＭＨｚ送信帯域幅の場合に従って割り振られる（その結果、たとえば、８つの同じセット、または８つのコピーを生じる）。代替的に、別のフォーマットが１６０ＭＨｚ送信におけるＶＨＴ−ＳＩＧ−Ｂのために使用され得る。
【０１２４】
追加または代替として、ＶＨＴ−ＳＩＧ−Ｂは、ＶＨＴ−ＬＴＦおよびデータフィールドのために使用されるのと同じ数のサブキャリア１６０を有し得る。たとえば、ＶＨＴ−ＳＩＧ−Ｂは、上記の表（１）に示したようにいくつかのサブキャリア（たとえば、トーン）１６０を有し得る。追加または代替として、受信されたＶＨＴ−ＳＩＧ−Ｂは、データフィールドのために実行されるスケーリングと同様のスケーリングを有し得る。
【０１２５】
追加または代替として、ＶＨＴ−ＳＩＧ−Ｂは、データフィールドのためのパイロットマッピングと同じパイロットマッピングを有し得る。たとえば、パイロットシンボルは、２０ＭＨｚ帯域幅が使用される場合、サブキャリアインデックス｛−２１，−７，７，２１｝において挿入され、４０ＭＨｚ帯域幅が使用される場合、サブキャリアインデックス｛−５３，−２５，−１１，１１，２５，５３｝において挿入され、および／または８０ＭＨｚ帯域幅が使用される場合、サブキャリアインデックス｛−１０３，−７５，−３９，−１１，１１，３９，７５，１０３｝において挿入され得る。１６０ＭＨｚ帯域幅の場合、たとえば、８０ＭＨｚ帯域幅のために使用されるインデックスは２回使用され得る。
【０１２６】
追加または代替として、受信されたＶＨＴ−ＳＩＧ−Ｂは、特定の通信デバイスまたはユーザのためのデータフィールド中の時空間ストリーム１５８の数（ＮSTS）と同じ数（ＮSTS）の時空間ストリーム１５８上にコピーされ得る。追加または代替として、ＶＨＴ−ＳＩＧ−Ｂは、データフィールドのために使用されるのと同じサイクリックシフト値を有し得る。いくつかの構成では、受信されたＶＨＴ−ＳＩＧ−Ｂは、長いガードインターバルを有し得る。たとえば、ＶＨＴ−ＳＩＧ−Ｂは、パケットのプリアンブル中の他のフィールドのために使用されるものと同じガードインターバルを有し得る。
【０１２７】
７０４において、通信デバイス（たとえば、受信通信デバイス１３８）はＶＨＴ−ＳＩＧ−Ｂを復号する。一構成では、７０４において、通信デバイスは、次のようにＶＨＴ−ＳＩＧ−Ｂを復号し得る。通信デバイスは、いくつかのストリーム１５８についてのチャネル推定値を追加し、シングルストリーム検出を実行し得る。たとえば、各サブキャリア１６０および各受信アンテナ１５４ａ〜ｎについて、受信通信デバイス１３８は、すべてのＮSTS個のストリーム１５８についてのチャネル推定値を追加し得る。次いで、シングルストリーム検出が、この修正チャネル推定値を使用して実行され得る。
【０１２８】
別の構成では、通信デバイス（たとえば、受信通信デバイス１３８）は代替的に、次のように復号を実行し得る。たとえば、受信通信デバイス１３８は、多入力多出力（ＭＩＭＯ）受信処理を実行し得る。次いで、ＮSTS個のストリーム１５８がサブキャリア１６０ごとに平均化され得る。最後に、シングルストリームデインターリーブおよび復号が受信通信デバイス１３８によって実行され得る。
【０１２９】
７０６において、通信デバイス（たとえば、受信通信デバイス１３８）は、復号されたＶＨＴ−ＳＩＧ−Ｂを使用して動作を実行する。たとえば、ＶＨＴ−ＳＩＧ−Ｂは、通信デバイス（たとえば、受信通信デバイス１３８）がデータを復調および／または復号するために使用し得る情報を含み得る。たとえば、ＶＨＴ−ＳＩＧ−Ｂは変調およびコーディング方式（ＭＣＳ）情報を含み得る。これは、受信通信デバイス１３８が、ＭＣＳに従って送信通信デバイス１０２からのデータを復調および／または復号することを可能にし得る。
【０１３０】
図８は、フィールドフォーマットを使用するためのシステムおよび方法が実装され得る、アクセスポイント８０２およびアクセス端末８３８の一構成を示すブロック図である。アクセスポイント８０２は、繰り返しビットブロック／モジュール８０６、チャネル符号器８０８、インターリーバ８１０、コンスタレーションマッパー８１２、パイロット挿入ブロック／モジュール８１４、スケーリングブロック／モジュール８２０、サイクリックシフトブロック／モジュール８２２、空間マッピングブロック／モジュール８２４、逆離散フーリエ変換（ＩＤＦＴ）ブロック／モジュール８２６、ガードインターバルブロック／モジュール８２８、送信（ＴＸ）無線周波数（ＲＦ）ブロック／モジュール、１つまたは複数のアンテナ８３２ａ〜ｎ、擬似ランダム雑音生成器８３４、パイロット生成器８３６および／または受信機８２１を含み得る。
【０１３１】
アクセスポイント８０２中に含まれる要素８０６、８０８、８１０、８１２、８１４、８２０、８２２、８２４、８２６、８２８、８３０、８３４、８３６、８２１のうちの１つまたは複数がハードウェア、ソフトウェアまたは両方の組合せにおいて実装され得ることに留意されたい。さらに、「ブロック／モジュール」という用語は、特定の要素がハードウェア、ソフトウェアまたは両方の組合せにおいて実装され得ることを示すために使用され得る。また、要素８０６、８０８、８１０、８１２、８１４、８２０、８２２、８２４、８２６、８２８、８３０、８３４、８３６のうちのいくつかは単一のブロックとして示され得るが、示される要素８０６、８０８、８１０、８１２、８１４、８２０、８２２、８２４、８２６、８２８、８３０、８３４、８３６のうちの１つまたは複数は、いくつかの構成では複数の並列ブロック／モジュールを備え得ることに留意されたい。たとえば、複数のチャネル符号器８０８、複数のインターリーバ８１０、複数のコンスタレーションマッパー８１２、複数のパイロット挿入ブロック／モジュール８１４、複数のスケーリングブロック／モジュール８２０、複数のサイクリックシフトブロック／モジュール８２２、複数の空間マッピングブロック／モジュール８２４、複数のＩＤＦＴブロック／モジュール８２６、複数のガードインターバルブロック／モジュール８２８および／または複数のＴＸ  ＲＦブロック／モジュール８３０は、いくつかの構成では多重経路を形成するために使用され得る。
【０１３２】
たとえば、別のストリーム８５８（たとえば、時空間ストリーム８５８、空間ストリーム８５８など）が生成され、および／または別経路を使用して送信され得る。いくつかの実装形態では、これらの経路は別個のハードウェアを用いて実装されるが、他の実装形態では、経路のハードウェアが２つ以上のストリーム８５８のために再利用されるか、またはパス論理が、１つまたは複数のストリーム８５８のために実行するソフトウェアにおいて実装される。より具体的には、アクセスポイント８０２に示す要素の各々は、単一のブロック／モジュールとして、または複数のブロック／モジュールとして実装され得る。
【０１３３】
データ８０４は、オーバーヘッド（たとえば、制御）データおよび／またはペイロードデータを備え得る。たとえば、ペイロードデータは、ボイス、ビデオ、オーディオおよび／または他のデータを含み得る。オーバーヘッドデータは、データレート、変調およびコーディング方式（ＭＣＳ）、チャネル帯域幅などを指定する情報などの制御情報を含み得る。
【０１３４】
いくつかの構成または事例では、データ８０４は繰り返しビットブロック／モジュール８０６に与えられ得、繰り返しビットブロック／モジュール８０６は、データ８０４からのビットを繰り返し得る（たとえば、ビットのコピーを生成し得る）。たとえば、送信帯域幅のために４０ＭＨｚ、８０ＭＨｚまたは１６０ＭＨｚが使用される場合、繰り返しビットブロック／モジュール８０６は、超高スループット信号フィールドＢ（ＶＨＴ−ＳＩＧ−Ｂ）のための信号ビット、テールビットおよび／または予約済みビットを繰り返し得る。たとえば、４０ＭＨｚが使用される場合、２０個の信号ビットと１つの予約済みビットと６つのテールビットとのセットが割り振られ得、１回繰り返され得、その結果、２つのコピーまたはセットを生じる。８０ＭＨｚが使用される場合、２０個の信号ビットと３つの予約済みビットと６つのテールビットとのセットが割り振られ得、３回繰り返され得、その結果、４つのセットまたはコピーを生じる。１６０ＭＨｚが使用される場合、２０個の信号ビットと３つの予約済みビットと６つのテールビットとのセットが割り振られ得、３回繰り返されて（その結果、４つのセットまたはコピーを生じ）、８０ＭＨｚ信号のためのビットのグループを形成し得、次いで、そのグループは繰り返されるかまたはコピーされ得、その結果、２つのグループを生じる。たとえば、２つのコピーされた８０ＭＨｚのＶＨＴ−ＳＩＧ−Ｂデータシンボルが１６０ＭＨｚのために使用され得る。または、８つのセットまたはコピーが１６０ＭＨｚ信号のために割り振られ得る。代替的に、（別の１６０ＭＨｚインターリーバ８１０が使用される場合）別のまたは異なるフォーマットが１６０ＭＨｚのために使用され得る。
【０１３５】
（随意に繰り返される）データ８０４はチャネル符号器８０８に与えられ得る。チャネル符号器８０８は、前方誤り訂正（ＦＥＣ）、暗号化、パケット化および／またはワイヤレス送信とともに使用する知られている他の符号化のために、データ８０４を符号化し得る。たとえば、チャネル符号器８０８はバイナリ畳み込みコーディング（ＢＣＣ）を使用し得る。
【０１３６】
符号化されたデータはインターリーバ８１０に与えられ得る。インターリーバ８１０は、一連のビットにわたってより一様にチャネル誤差を拡散するために、ビット順序を変更するか、またはビットをインターリーブし得る。インターリーブされたビットはコンスタレーションマッパー８１２に与えられ得る。いくつかの構成では、１６０ＭＨｚ信号のための別のインターリーバ８１０が設けられ得る。
【０１３７】
コンスタレーションマッパー８１２は、インターリーバ８１０によって与えられたデータをコンスタレーションポイント（たとえば、複素数）にマッピングする。たとえば、コンスタレーションマッパー８１２は、２位相シフトキーイング（ＢＰＳＫ）、直交振幅変調（ＱＡＭ）などの変調方式を使用し得る。直交振幅変調（ＱＡＭ）が使用される場合、たとえば、コンスタレーションマッパー８１２は、ストリーム８５８当たり、サブキャリア８６０当たり、シンボル期間当たり２ビットを与え得る。さらに、コンスタレーションマッパー８１２は、ストリーム８５８ごと、データサブキャリア８６０ごと、シンボル期間ごとに１６ＱＡＭコンスタレーション信号を出力し得る。６４ＱＡＭなどの他の変調が使用され得、それにより、ストリーム８５８当たり、データサブキャリア８６０当たり、シンボル期間当たり６ビットの消費を生じるであろう。他の変形形態も可能である。一構成では、ＢＰＳＫ変調がＶＨＴ−ＳＩＧ−Ｂのために使用され得る。コンスタレーションマッパー８１２は、サブキャリア８６０に、いくつかのサブキャリア（たとえば、ＯＦＤＭトーン）８６０を割り振り、コンスタレーションポイント（たとえば、シンボル）をマッピングし得ることに留意されたい。
【０１３８】
パイロット生成器８３６はパイロットシーケンスを生成し得る。パイロットシーケンスはパイロットシンボルのグループであり得る。一構成では、たとえば、パイロットシーケンス中の値は、特定の位相、振幅および／または周波数をもつ信号によって表され得る。たとえば、「１」は、特定の位相および／または振幅をもつパイロットシンボルを示し得るが、「−１」は、異なる（たとえば、逆（opposite）または逆（inverse））位相および／または振幅をもつパイロットシンボルを示し得る。
【０１３９】
アクセスポイント８０２は、いくつかの構成では擬似ランダム雑音生成器８３４を含み得る。擬似ランダム雑音生成器８３４は、パイロットシーケンスをスクランブルするために使用される擬似ランダム雑音系列または信号（たとえば、値）を生成し得る。たとえば、連続するＯＦＤＭシンボルのためのパイロットシーケンスは擬似ランダム雑音系列からの連続する数によって乗算され、それによって、ＯＦＤＭシンボルごとにパイロットシーケンスをスクランブルし得る。これは、式
【数１１】
2013535144.tif 000015
【０１４０】
に従って行われ得、ｐnは擬似ランダム雑音系列であり、
【数１２】
2013535144.tif 000016
【０１４１】
はパイロットシーケンス（またはパイロットマッピング行列）であり、ｋはＯＦＤＭトーン（たとえば、サブキャリア８６０）インデックスである。一構成では、ＶＨＴ−ＳＩＧ−Ｂの場合、ｎ＝０およびｚ＝３である。パイロットシーケンスがアクセス端末８３８に送られると、受信したパイロットシーケンスはパイロットプロセッサ８４２によってスクランブル解除され得る。ＶＨＴ−データシンボルｎ＝０がＶＨＴ−ＳＩＧ−Ｂのために使用され得、第１のデータシンボルおよびＶＨＴ−ＳＩＧ−Ｂが両方ともデータシンボル数０を使用し得ることを意味することに留意されたい。また、パイロットスクランブルシーケンスｚ＝３は、ＶＨＴ−ＳＩＧ−Ｂのために使用され得ることに留意されたい。
【０１４２】
パイロット挿入ブロック／モジュール８１４は、パイロットトーンをパイロットトーンサブキャリア８６０中に挿入する。たとえば、パイロットシーケンスは、マップ８１６に従って特定のインデックスにあるサブキャリア８６０にマッピングされ得る。たとえば、（スクランブルされた）パイロットシーケンスからのパイロットシンボルは、データサブキャリア８６０および／または他のサブキャリア８６０が点在しているパイロットサブキャリア８６０にマッピングされ得る。言い換えれば、パイロットシーケンスまたは信号はデータシーケンスまたは信号と合成され得る。いくつかの構成では、１つまたは複数の直流電流（ＤＣ）トーンがサブキャリアインデックス０を中心とし得る。
【０１４３】
パイロット挿入ブロック／モジュール８１４によってＶＨＴ−ＳＩＧ−Ｂのために実行されるパイロットマッピングは、パケットまたはフレーム中のデータフィールドのために実行されるパイロットマッピングと同じであり得る。上記で説明したように、２０ＭＨｚ帯域幅が使用される場合、パイロットシンボルはサブキャリアインデックス｛−２１，−７，７，２１｝において挿入され得る。追加または代替として、４０ＭＨｚ帯域幅が使用される場合、パイロットシンボルはサブキャリアインデックス｛−５３，−２５，−１１，１１，２５，５３｝において挿入され得る。追加または代替として、８０ＭＨｚ帯域幅が使用される場合、パイロットシンボルはサブキャリアインデックス｛−１０３，−７５，−３９，−１１，１１，３９，７５，１０３｝において挿入され得る。１６０ＭＨｚ帯域幅の場合、たとえば、８０ＭＨｚ帯域幅のために使用されるインデックスが、２つの８０ＭＨｚ帯域幅において使用され得る。いくつかの構成では、ＶＨＴ−ＳＩＧ−Ｂのために使用されるサブキャリアの数は、（１つまたは複数の）ＶＨＴ−ＬＴＦと（１つまたは複数の）データフィールドとのために使用されるサブキャリアの数と同じであり得る。サブキャリアまたはトーン指数の例が与えられたが、他のサブキャリアまたはトーン指数が使用され得ることに留意されたい。
【０１４４】
合成されたデータおよびパイロット信号８１８はスケーリングブロック／モジュール８２０に与えられ得る。スケーリングブロック／モジュール８２０はパイロットシンボルおよび／またはデータシンボルをスケーリングし得る。いくつかの構成では、スケーリングブロック／モジュール８２０は、データフィールドの場合と同様にパイロットシンボルおよび／またはデータシンボルをスケーリングする。
【０１４５】
スケーリングされた信号（たとえば、スケーリングブロック／モジュール８２０からの出力信号）はサイクリックシフトブロック／モジュール８２２に与えられ得る。サイクリックシフトブロック／モジュール８２２は、サイクリックシフトを、サイクリックシフトダイバーシティ（ＣＳＤ）のための１つまたは複数の空間ストリーム８５８または時空間ストリーム８５８に挿入し得る。一構成では、ＶＨＴ−ＳＩＧ−ＢのためのＮSTS個の時空間ストリーム８５８は、データフィールドのために使用されるのと同じＣＳＤ値を使用し得る。
【０１４６】
一構成では、ＶＨＴ−ＳＩＧ−Ｂは、シングル空間ストリームシンボルとして（チャネル符号器８０８によって）符号化され、（インターリーバ８１０によって）インターリーブされ得る。ＶＨＴ−ＳＩＧ−Ｂのコンスタレーションマッパー８１２出力（またはパイロット挿入ブロック／モジュール８１４の出力、スケーリングブロック／モジュール８２０の出力、またはサイクリックシフトブロック／モジュール８２２の出力）は、ＮSTS個のストリーム８５８上にコピーされ得、ＮSTSは、対象とするアクセス端末８３８またはユーザのためのデータフィールド中の時空間ストリーム８５８の数である。たとえば、空間マッピングブロック／モジュール８２４は、ＶＨＴ−ＳＩＧ−ＢをＮSTS個の時空間ストリーム８５８または空間ストリーム８５８にマッピングし得る。
【０１４７】
ＩＤＦＴブロック／モジュール８２６は、空間マッピングブロック／モジュール８２４によって与えられる信号に対して逆離散フーリエ変換を実行し得る。たとえば、逆離散フーリエ変換（ＩＤＦＴ）ブロック／モジュール８２６は、データ８０４の周波数信号と、挿入されたパイロットトーンとを、ストリーム８５８上の信号を表す時間領域信号および／またはシンボル期間の間の時間領域サンプルに変換する。一構成では、たとえば、ＩＤＦＴブロック／モジュール８２６は２５６点逆高速フーリエ変換（ＩＦＦＴ）を実行し得る。いくつかの構成では、ＩＤＦＴブロック／モジュール８２６はさらに、１つまたは複数の２０ＭＨｚサブバンドに位相回転を適用し得る。
【０１４８】
ＩＤＦＴブロック／モジュール８２６から出力された信号はガードインターバルブロック／モジュール８２８に与えられ得る。ガードインターバルブロック／モジュール８２８は、ＩＤＦＴブロック／モジュール８２６から出力された信号にガードインターバルを挿入（たとえば、プリペンド）し得る。たとえば、ガードインターバルブロック／モジュール８２８は、フレームプリアンブル中の他のフィールドのためのガードインターバルと同じ長さである長いガードインターバルを挿入し得る。いくつかの構成では、ガードインターバルブロック／モジュール８２８はさらに、信号に対してウィンドウ処理を実行し得る。
【０１４９】
ガードインターバルブロック／モジュール８２８の出力は送信（ＴＸ）無線周波数（ＲＦ）ブロック／モジュール８３０に与えられ得る。ＴＸ  ＲＦブロック／モジュール８３０は、ガードインターバルブロック／モジュール８２８の出力（たとえば、複合ベースバンド波形）をアップコンバートし、１つまたは複数のアンテナ８３２ａ〜ｎを使用して得られた信号を送信し得る。たとえば、１つまたは複数のＴＸ  ＲＦブロック／モジュール８３０は、無線周波数（ＲＦ）信号を１つまたは複数のアンテナ８３２ａ〜ｎに出力し得、それによって、１つまたは複数のアクセス端末８３８によって受信のために適切に構成されたワイヤレス媒体を介して、入力されたデータ８０４をチャネル符号器８０８に送信する。
【０１５０】
アクセスポイント８０２は、１つまたは複数のアクセス端末８３８への送信のために使用されるべきチャネル帯域幅を判断し得ることに留意されたい。この判断は、アクセス端末８３８互換性、（通信チャネルを使用すべき）アクセス端末８３８の数、チャネル品質（たとえば、チャネル雑音）および／または受信インジケータなどの１つまたは複数のファクタに基づき得る。一構成では、アクセスポイント８０２は、信号送信のための帯域幅が２０ＭＨｚなのか、４０ＭＨｚなのか、８０ＭＨｚなのか、１６０ＭＨｚなのかを判断し得る。
【０１５１】
アクセスポイント８０２中に含まれる要素８０６、８０８、８１０、８１２、８１４、８２０、８２２、８２４、８２６、８２８、８３０、８３４、８３６のうちの１つまたは複数は、帯域幅判断に基づいて動作し得る。たとえば、繰り返しビットブロック／モジュール８０６は、信号送信のための帯域幅に基づいてビットを繰り返す（または繰り返さない）ことがある。さらに、パイロット生成器８３６は、信号送信のための帯域幅に基づいていくつかのパイロットトーンを生成し得る。たとえば、パイロット生成器８３６は、（３つのＤＣサブキャリア８６０とともに２３４個のデータトーンと８つのパイロットトーンとからなる、２４２個のＯＦＤＭトーンをもつ）８０ＭＨｚ信号のための８つのパイロットシンボルを生成し得る。
【０１５２】
さらに、コンスタレーションマッパー８１２は、データ８０４をいくつかのＯＦＤＭトーンにマッピングし得、パイロット挿入ブロック／モジュール８１４は、信号送信のための帯域幅に基づいてパイロットトーンを挿入し得る。一例では、現在のフィールドがＶＨＴ−ＳＩＧ−Ｂであり、使用される帯域幅が８０ＭＨｚである場合、コンスタレーションマッパー８１２は、データ８０４を２３４個のＯＦＤＭトーンまたはサブキャリア８６０にマッピングし、ＤＣトーンとしてパイロットおよび３つのサブキャリア８６０のために８つのＯＦＤＭトーン（たとえば、サブキャリア８６０）を残し得る。いくつかの構成では、コンスタレーションマッパー８１２は、指定された帯域幅のために使用すべきトーンまたはサブキャリアの数を判断するためにルックアップテーブルを使用し得る。
【０１５３】
さらに、パイロット挿入ブロック／モジュール８１４は、送信帯域幅に基づいてパイロットを挿入し得る。たとえば、８０ＭＨｚ帯域幅は、パイロットシンボルがインデックス−１０３、−７５、−３９、−１１、１１、３９、７５および１０３において挿入されるべきであることを示し得る。ＩＤＦＴブロック／モジュール８２６はさらに、信号送信のための帯域幅に基づいてサブバンド（たとえば、２０ＭＨｚサブバンド）を回転し得ることに留意されたい。
【０１５４】
一構成では、判断された帯域幅が２０ＭＨｚである場合、アクセスポイント８０２は、５６個のＯＦＤＭトーンをＶＨＴ−ＳＩＧ−Ｂフィールドのために割り振り、および／または５６個のＯＦＤＭトーンをデータフィールドのために割り振り得る。判断された帯域幅が４０ＭＨｚである場合、アクセスポイント８０２は、１１４個のＯＦＤＭトーンをＶＨＴ−ＳＩＧ−Ｂフィールドのために割り振り、および／または１１４個のＯＦＤＭトーンをデータフィールドのために割り振り得る。帯域幅が８０ＭＨｚである場合、アクセスポイント８０２は、２４２個のＯＦＤＭトーンをＶＨＴ−ＳＩＧ−Ｂフィールドのために割り振り、および／または２４２個のＯＦＤＭトーンをデータフィールドのために割り振り得る。帯域幅が１６０ＭＨｚである場合、アクセスポイント８０２は、４８４個のＯＦＤＭトーンをＶＨＴ−ＳＩＧ−Ｂフィールドのために割り振り、および／または４８４個のＯＦＤＭトーンをデータフィールドのために割り振り得る。他の数のＯＦＤＭトーンが使用され得る。
【０１５５】
異なるストリーム８５８上の送信が（ある確率で）アクセス端末８３８において区別可能であり得るように、１つまたは複数のストリーム８５８がアクセスポイント８０２から送信され得る。たとえば、１つの空間次元にマッピングされるビットが１つのストリーム８５８として送信される。そのストリーム８５８は、他のアンテナ８３２とは空間的に別個のそれ自体のアンテナ８３２、複数の空間的に分離されたアンテナ８３２上のそれ自体の直交重ね合わせ、それ自体の偏波などの上で送信され得る。（たとえば、空間中でアンテナ８３２を分離すること、またはそれらの信号が受信機において識別されることを可能にするであろう他の技法を伴う）ストリーム８５８分離のための多くの技法が知られており、使用され得る。
【０１５６】
図８に示す例では、同じまたは異なる数（たとえば、１つまたは複数）のアンテナ８３２ａ〜ｎを使用して送信される１つまたは複数のストリーム８５８がある。いくつかの事例では、１つまたは複数の他のストリーム８５８の非アクティブ化のために、ただ１つのストリーム８５８が利用可能であり得る。
【０１５７】
アクセスポイント８０２が複数の周波数サブキャリア８６０を使用する場合、コンスタレーションマッパー８１２がいくつかのビットを１つの周波数サブキャリア８６０にマッピングし、他のビットを別の周波数サブキャリア８６０にマッピングし得るように、周波数次元のための複数の値がある。他の周波数サブキャリア８６０は、データ８０４を搬送しない（または、常に搬送するとは限らない）ガードバンド、パイロットトーンサブキャリア８６０などとして予約され得る。たとえば、１つまたは複数のデータサブキャリア８６０および１つまたは複数のパイロットサブキャリア８６０があり得る。いくつかの事例または構成では、すべてのサブキャリア８６０が直ちに励起され得るとは限らないことに留意されたい。たとえば、いくつかのトーンが、フィルタ処理を可能にするために励起されないことがある。一構成では、アクセスポイント８０２は、複数のサブキャリア８６０の送信のために直交周波数分割多重（ＯＦＤＭ）を利用し得る。たとえば、コンスタレーションマッパー８１２は、使用される多重化方式に従って、（符号化された）データ８０４を時間および／または周波数リソースにマッピングし得る。
【０１５８】
時間次元はシンボル期間を指す。異なるビットは、異なるシンボル期間に割り振られ得る。複数のストリーム８５８、複数のサブキャリア８６０および複数のシンボル期間がある場合、１つのシンボル期間の間の送信は「ＯＦＤＭ（直交周波数分割多重）ＭＩＭＯ（多入力多出力）シンボル」と呼ばれることがある。単純なシンボル当たりのビット数（たとえば、使用されるコンスタレーションの数のｌｏｇ2）×ストリーム８５８の数×データサブキャリア８６０の数を乗算し、シンボル期間の長さによって除算されることで、符号化されたデータのための送信レートが判断され得る。
【０１５９】
１つまたは複数のアクセス端末８３８は、アクセスポイント８０２から信号を受信し、使用し得る。たとえば、アクセス端末８３８は、所与の数のＯＦＤＭトーンまたはサブキャリア８６０を受信するために、受信した帯域幅インジケータを使用し得る。追加または代替として、アクセス端末８３８は、アクセスポイント８０２によって生成されたパイロットシーケンスを使用して、チャネル、送信機損傷および／または受信機損傷を特徴づけ、その特徴づけを使用して、送信において符号化されたデータ８０４の受信を改善し得る。
【０１６０】
たとえば、アクセス端末８３８は、１つまたは複数の受信機無線周波数（ＲＸ  ＲＦ）ブロック／モジュール８５２に給電する（アクセスポイント８０２アンテナ８３２ａ〜ｎの数および／またはストリーム８５８の数よりも多いか、少ないか、または等しくなり得る）１つまたは複数のアンテナ８５４ａ〜ｎを含み得る。１つまたは複数のＲＸ  ＲＦブロック／モジュール８５２は、アナログ信号を１つまたは複数のアナログデジタル変換器（ＡＤＣ）８５０に出力し得る。たとえば、受信機無線周波数ブロック８５２は信号を受信し、ダウンコンバートし得、その信号はアナログデジタル変換器８５０に与えられ得る。アクセスポイント８０２の場合と同様に、処理されるストリーム８５８の数は、アンテナ８５４ａ〜ｎの数に等しいこともあるし、等しくないこともある。さらに、複数の受信機ストリームに着信するために様々なビームステアリング、直交化などの技法が使用され得るので、各空間ストリーム８５８は１つのアンテナ８５４に限定される必要はない。
【０１６１】
１つまたは複数のアナログデジタル変換器（ＡＤＣ）８５０は、（１つまたは複数の）受信したアナログ信号を１つまたは複数のデジタル信号に変換し得る。１つまたは複数のアナログデジタル変換器（ＡＤＣ）８５０の（１つまたは複数の）出力は、１つまたは複数の時間および／または周波数同期ブロック／モジュール８４８に与えられ得る。時間および／または周波数同期ブロック／モジュール８４８は、時間および／または周波数においてデジタル信号を（たとえば、アクセス端末８３８クロックに）同期または整合させ得る（同期または整合させることを試み得る）。
【０１６２】
時間および／または周波数同期（１つまたは複数の）ブロック／（１つまたは複数の）モジュール８４８の（同期した）出力は、１つまたは複数のデフォーマッタ８４６に与えられ得る。たとえば、デフォーマッタ８４６は、時間および／または周波数同期（１つまたは複数の）ブロック／（１つまたは複数の）モジュール８４８の出力を受信し、ガードインターバルなどを削除し、および／または離散フーリエ変換（ＤＦＴ）処理のためにデータを並列化し得る。
【０１６３】
１つまたは複数のデフォーマッタ８４６出力は、１つまたは複数の離散フーリエ変換（ＤＦＴ）ブロック／モジュール８４４に与えられ得る。離散フーリエ変換（ＤＦＴ）ブロック／モジュール８４４は、１つまたは複数の信号を時間領域から周波数領域に変換し得る。パイロットプロセッサ８４２は、アクセスポイント８０２によって（たとえば、ストリーム８５８、周波数サブキャリア８６０および／またはシンボル期間のグループにわたって）送られる１つまたは複数のパイロットトーンを判断するために、（たとえば、空間ストリーム８５８ごとに）周波数領域信号を使用し得る。パイロットプロセッサ８４２は、追加または代替としてパイロットシーケンスをデスクランブルし得る。パイロットプロセッサ８４２は、位相および／または周波数および／または振幅追跡のために、本明細書で説明する１つまたは複数のパイロットシーケンスを使用し得る。（１つまたは複数の）パイロットトーンは、時空間周波数検出および／または復号ブロック／モジュール８４０に与えられ得、時空間周波数検出および／または復号ブロック／モジュール８４０は、様々な次元にわたってデータを検出および／または復号し得る。時空間周波数検出および／または復号ブロック／モジュール８４０は、受信データ８６４（たとえば、アクセスポイント８０２によって送信されたデータ８０４のアクセス端末８３８の推定）を出力し得る。
【０１６４】
いくつかの構成では、アクセス端末８３８は、全情報シーケンスの一部として送られる送信シーケンスを知っている。アクセス端末８３８は、これらの既知の送信シーケンスの助けをかりてチャネル推定を実行し得る。パイロットトーン追跡、処理および／またはデータ検出および復号を支援するために、チャネル推定ブロック／モジュール８５６は、時間および／または周波数同期ブロック／モジュール８４８からの出力に基づいて、パイロットプロセッサ８４２および／または時空間周波数検出および／または復号ブロック／モジュール８４０に推定信号を与え得る。代替的に、デフォーマッティングおよび離散フーリエ変換は、全情報シーケンスのペイロードデータ部分に関して既知の送信シーケンスのためのものと同じである場合、推定信号は、離散フーリエ変換（ＤＦＴ）ブロック／モジュール８４４からの出力に基づいてパイロットプロセッサ８４２および／または時空間周波数検出および／または復号ブロック／モジュール８４０に与えられ得る。
【０１６５】
アクセス端末８３８はＶＨＴ−ＳＩＧ−Ｂを受信し得る。ＶＨＴ−ＳＩＧ−Ｂを復号するときに、（たとえば、チャネル推定ブロック／モジュール８５６によって与えられる）ＮSTSストリームチャネル推定値が利用可能であり得、ＮSTSは、１つの特定のアクセス端末８３８またはユーザのための時空間ストリーム８５８の数である。一構成では、時空間周波数検出／復号ブロック／モジュール８４０は次のように機能し得る。各サブキャリア８６０および各受信アンテナ８５４ａ〜ｎについて、すべてのＮSTS個のストリーム８５８についてのチャネル推定値が追加され得る。次いで、時空間周波数検出／復号ブロック／モジュール８４０は、この修正チャネル推定値を使用してシングルストリーム検出を実行し得る。代替的に、受信機復号は次のように行われ得る。時空間周波数検出／復号ブロック／モジュール８４０は多入力多出力（ＭＩＭＯ）受信処理を実行し得る。次いで、ＮSTS個のストリーム８５８がサブキャリア８６０ごとに平均化され得る。最後に、シングルストリームデインターリーブおよび復号が実行され得る。
【０１６６】
いくつかの構成では、アクセス端末８３８は（受信した通信のための）チャネル帯域幅を判断し得る。たとえば、アクセス端末８３８は、チャネル帯域幅を示すアクセスポイント８０２から帯域幅指示を受信し得る。たとえば、アクセス端末８３８は、明示的または暗黙的帯域幅指示を取得し得る。一構成では、帯域幅指示は、２０ＭＨｚ、４０ＭＨｚ、８０ＭＨｚまたは１６０ＭＨｚのチャネル帯域幅を示し得る。アクセス端末８３８は、この指示に基づいて受信した通信のための帯域幅を判断し、判断された帯域幅の指示をパイロットプロセッサ８４２および／または時空間周波数検出／復号ブロック／モジュール８４０に与え得る。
【０１６７】
いくつかの構成では、判断された帯域幅が２０ＭＨｚである場合、アクセス端末８３８はＶＨＴ−ＳＩＧ−Ｂのための５６個のＯＦＤＭトーンを受信し、および／またはデータフィールドのための５６個のＯＦＤＭトーンを受信し得る。判断された帯域幅が４０ＭＨｚである場合、アクセス端末８３８はＶＨＴ−ＳＩＧ−Ｂフィールドのための１１４個のＯＦＤＭトーンを受信し、および／またはデータフィールドのための１１４個のＯＦＤＭトーンを受信し得る。帯域幅が８０ＭＨｚである場合、アクセス端末８３８はＶＨＴ−ＳＩＧ−Ｂフィールドのための２４２個のＯＦＤＭトーンを受信し、および／またはデータフィールドのための２４２個のＯＦＤＭトーンを受信し得る。帯域幅が１６０ＭＨｚである場合、アクセス端末８３８はＶＨＴ−ＳＩＧ−Ｂのための４８４個のＯＦＤＭトーンを受信し、および／またはデータフィールドのための４８４個のＯＦＤＭトーンを受信し得る。他の数のＯＦＤＭトーンが受信され得る。
【０１６８】
パイロットプロセッサ８４２は、離散フーリエ変換ブロック／モジュール８４４出力からパイロットシンボルを抽出するために、判断された帯域幅指示を使用し得る。たとえば、アクセス端末８３８が、帯域幅が８０ＭＨｚであることを検出した場合、パイロットプロセッサ８４２は、インデックス−１０３、−７５、−３９、−１１、１１、３９、７５および１０３からパイロットシンボルを抽出し得る。
【０１６９】
時空間周波数検出／復号ブロック／モジュール８４０は、受信信号からデータを検出および／または復号するために、判断された帯域幅指示を使用し得る。たとえば、現在のフィールドがＶＨＴ−ＳＩＧ−Ｂフィールドであり、判断された帯域幅指示が、帯域幅が８０ＭＨｚであることを明示した場合、（たとえば、８つのＯＦＤＭトーンがパイロットトーンであり、３つのサブキャリア８６０がＤＣトーンのために使用されるが）時空間周波数検出／復号ブロック／モジュール８４０は、２３４個のＯＦＤＭトーンまたはサブキャリア８６０からプリアンブルデータを検出および／または復号し得る。いくつかの構成では、時空間周波数検出／復号ブロック／モジュール８４０は、指定された帯域幅のために受信すべきトーンまたはサブキャリア８６０の数を判断するために、ルックアップテーブルを使用し得る。
【０１７０】
図８に示す構成では、アクセス端末８３８は送信機８２５を含み得る。送信機８２５は、データ８２３をアクセスポイント８０２に送信するために、アクセスポイント８０２中に含まれる要素８０６、８０８、８１０、８１２、８１４、８２０、８２２、８２４、８２６、８２８、８３０、８３４、８３６のうちの１つまたは複数によって実行される動作と同様の動作を実行し得る。
【０１７１】
図８に示す構成では、アクセスポイント８０２は受信機８２１を含み得る。受信機８２１は、１つまたは複数のアクセス端末８３８から受信されたデータ８１９を取得するために、アクセス端末８３８中に含まれる要素８４０、８４２、８４４、８４６、８４８、８５０、８５２、８５６のうちの１つまたは複数によって実行される動作と同様の動作を実行し得る。したがって、図８に示すように、アクセスポイント８０２とアクセス端末８３８との間の双方向通信は、１つまたは複数のストリーム８５８および１つまたは複数のサブキャリア８６０上で行われ得る。一構成では、アクセス端末８３８は、アクセスポイント８０２に関して説明したのと同様にＶＨＴ−ＳＩＧ−Ｂフレームまたはパケットをフォーマットし得る。
【０１７２】
図９は、多入力多出力（ＭＩＭＯ）システム中で使用され得る通信デバイス９２７のブロック図である。通信デバイス９２７の例は、送信通信デバイス１０２、受信通信デバイス１３８、アクセスポイント８０２、アクセス端末８３８、基地局、ユーザ機器（ＵＥ）などを含み得る。通信デバイス９２７では、いくつかのデータストリームのトラフィックデータは、１つまたは複数のデータソース９２９および／またはアプリケーションプロセッサ９３１からベースバンドプロセッサ９３５に与えられる。特に、トラフィックデータは、ベースバンドプロセッサ９３５中に含まれる送信処理ブロック／モジュール９３９に与えられ得る。次いで、各データストリームは、それぞれの送信アンテナ９５５ａ〜ｎを介して送信され得る。送信処理ブロック／モジュール９３９は、そのデータストリームのために選択された特定のコーディング方式に基づいて、各データストリームのトラフィックデータをフォーマットし、コーディングし、インターリーブして、コード化データを与え得る。
【０１７３】
送信処理ブロック／モジュール９３９は、図５および図６に示す方法５００、６００のうちの１つまたは複数を実行し得る。たとえば、送信処理ブロック／モジュール９３９は、ＶＨＴ−ＳＩＧ−Ｂフォーマットブロック／モジュール９４１を含み得る。ＶＨＴ−ＳＩＧ−Ｂフォーマットブロック／モジュール９４１は、上記で説明したようにＶＨＴ−ＳＩＧ−Ｂを生成および／またはフォーマットするために、命令を実行し得る。
【０１７４】
各データストリームのコード化データは、直交周波数分割多重（ＯＦＤＭ）技法を使用して、パイロット生成器９３７からのパイロットデータと多重化され得る。パイロットデータは、既知の方法で処理され、チャネル応答を推定するために受信機において使用される既知のデータパターンであり得る。次いで、各ストリームの多重化されたパイロットおよびコード化データは、変調シンボルを与えるために、そのデータストリーム用に選択された特定の変調方式（たとえば、２位相シフトキーイング（ＢＰＳＫ）、４位相シフトキーイング（ＱＰＳＫ）、多相シフトキーイング（Ｍ−ＰＳＫ：multiple phase shift keying）、直交振幅変調（ＱＡＭ）または多値直交振幅変調（Ｍ−ＱＡＭ））に基づいて変調（すなわち、シンボルマッピング）される。各データストリームのためのデータレート、コーディングおよび変調は、プロセッサ（たとえば、ベースバンドプロセッサ９３５、アプリケーションプロセッサ９３１など）によって実行される命令によって判断され得る。
【０１７５】
すべてのデータストリームのための変調シンボルが送信（ＴＸ）多入力多出力（ＭＩＭＯ）処理ブロック／モジュール９４９に与えられ得、送信（ＴＸ）多入力多出力（ＭＩＭＯ）処理ブロック／モジュール９４９はさらに（たとえば、ＯＦＤＭ用に）変調シンボルを処理し得る。次いで、送信（ＴＸ）多入力多出力（ＭＩＭＯ）処理ブロック／モジュール９４９は、いくつかの変調シンボルストリームを送信機９５３ａ〜ｎに与える。送信（ＴＸ）多入力多出力（ＭＩＭＯ）処理ブロック／モジュール９４９は、さらに、データストリームのシンボルと、シンボルがそこから送信されているアンテナ９５５とにビームフォーミング重みを付与し得る。
【０１７６】
各送信機９５３は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を与え得る。次いで、送信機９５３ａ〜ｎからの被変調信号はそれぞれ、アンテナ９５５ａ〜ｎから送信される。たとえば、被変調信号は別の通信デバイス（図９に図示せず）に送信され得る。
【０１７７】
通信デバイス９２７は（別の通信デバイスから）被変調信号を受信し得る。これらの被変調信号はアンテナ９５５によって受信され、受信機９５３によって調整（たとえば、フィルタ処理、増幅、ダウンコンバート、デジタル化）される。言い換えれば、各受信機９５３は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与え得る。
【０１７８】
次いで、ベースバンドプロセッサ９３５中に含まれる受信処理ブロック／モジュール９４５が、受信機９５３から受信したシンボルストリームを受信し、特定の受信機処理技法に基づいて処理して、いくつかの「検出された」ストリームを与える。受信処理ブロック／モジュール９４５は、各ストリームを復調し、デインターリーブし、復号して、データストリームのトラフィックデータを復元する。
【０１７９】
受信処理ブロック／モジュール９４５は、図７に示した方法７００を実行し得る。たとえば、受信処理ブロック／モジュール９４５は復号ブロック／モジュール９４７を含み得る。復号ブロック／モジュール９４７は、ＶＨＴ−ＳＩＧ−Ｂを復号するようにとの命令を実行し得る。
【０１８０】
ベースバンドプロセッサ９３５中に含まれるプリコーディング処理ブロック／モジュール９４３は、受信処理ブロック／モジュール９４５からチャネル状態情報（ＣＳＩ）を受信し得る。次いで、プリコーディング処理ブロック／モジュール９４３は、ビームフォーミング重みを決定するためにどのプリコーディング行列を使用すべきかを決定し、次いで、抽出されたメッセージを処理する。ベースバンドプロセッサ９３５は、ベースバンドメモリ９５１上に情報を記憶し、ベースバンドメモリ９５１から情報を取り出し得ることに留意されたい。
【０１８１】
ベースバンドプロセッサ９３５によって復元されたトラフィックデータは、アプリケーションプロセッサ９３１に与えられ得る。アプリケーションプロセッサ９３１は、アプリケーションメモリ９３３に情報を記憶し、アプリケーションメモリ９３３から情報を取り出し得る。
【０１８２】
図１０に、通信デバイス１０５７内に含まれ得るいくつかの構成要素を示す。上記で説明した送信通信デバイス１０２、受信通信デバイス１３８、アクセスポイント８０２、アクセス端末８３８および／または通信デバイス９２７は、図１０に示す通信デバイス１０５７と同様に構成され得る。
【０１８３】
通信デバイス１０５７はプロセッサ１０７５を含む。プロセッサ１０７５は、汎用シングルまたはマルチチップマイクロプロセッサ（たとえば、ＡＲＭ）、特殊目的マイクロプロセッサ（たとえば、デジタル信号プロセッサ（ＤＳＰ））、マイクロコントローラ、プログラマブルゲートアレイなどであり得る。プロセッサ１０７５は中央処理ユニット（ＣＰＵ）と呼ばれることがある。図１０の通信デバイス１０５７には単一のプロセッサ１０７５のみが示されているが、代替構成では、プロセッサ（たとえば、ＡＲＭとＤＳＰ）の組合せが使用され得る。
【０１８４】
通信デバイス１０５７はまた、プロセッサ１０７５と電子通信しているメモリ１０５９を含む（すなわち、プロセッサ１０７５は、メモリ１０５９から情報を読み取り、および／またはメモリ１０５９に情報を書き込むことができる）。メモリ１０５９は、電子情報を記憶することが可能な任意の電子構成要素であり得る。メモリ１０５９は、ランダムアクセスメモリ（ＲＡＭ）、読取り専用メモリ（ＲＯＭ）、磁気ディスクストレージ媒体、光記憶媒体、ＲＡＭ中のフラッシュメモリデバイス、プロセッサとともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、レジスタなど、およびそれらの組合せであり得る。
【０１８５】
データ１０６１および命令１０６３は、メモリ１０５９に記憶され得る。命令１０６３は、１つまたは複数のプログラム、ルーチン、サブルーチン、関数、プロシージャ、コードなどを含み得る。命令１０６３は、単一のコンピュータ可読ステートメントまたは多くのコンピュータ可読ステートメントを含み得る。命令１０６３は、上記で説明した方法５００、６００、７００のうちの１つまたは複数を実装するために、プロセッサ１０７５によって実行可能であり得る。命令１０６３を実行することは、メモリ１０５９に記憶されたデータ１０６１の使用を含み得る。図１０に、プロセッサ１０７５にロードされているいくつかの命令１０６３ａとデータ１０６１ａとを示す。
【０１８６】
通信デバイス１０５７はまた、通信デバイス１０５７と遠隔ロケーション（たとえば、別の通信デバイス、アクセス端末、アクセスポイントなど）との間の信号の送信および受信を可能にするために、送信機１０７１と受信機１０７３とを含み得る。送信機１０７１と受信機１０７３とはトランシーバ１０６９と総称され得る。アンテナ１０６７はトランシーバ１０６９に電気的に結合され得る。通信デバイス１０５７はまた、複数の送信機、複数の受信機、複数のトランシーバ、および／または複数のアンテナを含み得る（図示せず）。
【０１８７】
通信デバイス１０５７の様々な構成要素は、電力バス、制御信号バス、ステータス信号バス、データバスなどを含み得る１つまたは複数のバスによって互いに結合され得る。簡単のために、図１０では様々なバスはバスシステム１０６５として示してある。
【０１８８】
図１１に、ワイヤレス通信デバイス１１７７内に含まれ得るいくつかの構成要素を示す。上記で説明した送信通信デバイス１０２、受信通信デバイス１３８、アクセス端末８３８および通信デバイス９２７のうちの１つまたは複数は、図１１に示すワイヤレス通信デバイス１１７７と同様に構成され得る。
【０１８９】
ワイヤレス通信デバイス１１７７はプロセッサ１１９７を含む。プロセッサ１１９７は、汎用シングルまたはマルチチップマイクロプロセッサ（たとえば、ＡＲＭ）、特殊目的マイクロプロセッサ（たとえば、デジタル信号プロセッサ（ＤＳＰ））、マイクロコントローラ、プログラマブルゲートアレイなどであり得る。プロセッサ１１９７は中央処理ユニット（ＣＰＵ）と呼ばれることがある。図１１のワイヤレス通信デバイス１１７７には単一のプロセッサ１１９７のみが示されるが、代替構成では、プロセッサ１１９７（たとえば、ＡＲＭとＤＳＰ）の組合せが使用され得る。
【０１９０】
ワイヤレス通信デバイス１１７７はまた、プロセッサ１１９７と電子通信しているメモリ１１７９を含む（すなわち、プロセッサ１１９７は、メモリ１１７９から情報を読み取り、および／またはメモリ１１７９に情報を書き込むことができる）。メモリ１１７９は、電子情報を記憶することが可能な任意の電子構成要素であり得る。メモリ１１７９は、ランダムアクセスメモリ（ＲＡＭ）、読取り専用メモリ（ＲＯＭ）、磁気ディスクストレージ媒体、光記憶媒体、ＲＡＭ中のフラッシュメモリデバイス、プロセッサ１１９７とともに含まれるオンボードメモリ、プログラマブル読取り専用メモリ（ＰＲＯＭ）、消去可能プログラマブル読取り専用メモリ（ＥＰＲＯＭ）、電気的消去可能ＰＲＯＭ（ＥＥＰＲＯＭ）、レジスタなど、およびそれらの組合せであり得る。
【０１９１】
データ１１８１ａおよび命令１１８３ａは、メモリ１１７９に記憶され得る。命令１１８３ａは、１つまたは複数のプログラム、ルーチン、サブルーチン、関数、プロシージャ、コードなどを含み得る。命令１１８３ａは、単一のコンピュータ可読ステートメントまたは多くのコンピュータ可読ステートメントを含み得る。命令１１８３ａは、上記で説明した方法５００、６００、７００のうちの１つまたは複数を実装するために、プロセッサ１１９７によって実行可能であり得る。命令１１８３ａを実行することは、メモリ１１７９に記憶されたデータ１１８１ａの使用を含み得る。図１１に、プロセッサ１１９７にロードされている（メモリ１１７９中の命令１１８３ａおよびデータ１１８１ａから来ることがある）いくつかの命令１１８３ｂおよびデータ１１８１ｂを示す。
【０１９２】
ワイヤレス通信デバイス１１７７はまた、ワイヤレス通信デバイス１１７７と遠隔ロケーション（たとえば、別の電子デバイス、通信デバイスなど）との間の信号の送信および受信を可能にするために、送信機１１９３と受信機１１９５とを含み得る。送信機１１９３と受信機１１９５とはトランシーバ１１９１と総称され得る。アンテナ１１９９はトランシーバ１１９１に電気的に結合され得る。ワイヤレス通信デバイス１１７７は、複数の送信機１１９３、複数の受信機１１９５、複数のトランシーバ１１９１および／または複数のアンテナ１１９９をも含み得る（図示せず）。
【０１９３】
いくつかの構成では、ワイヤレス通信デバイス１１７７は、音響信号をキャプチャするための１つまたは複数のマイクロフォン１１８５を含み得る。一構成では、マイクロフォン１１８５は、音響信号（たとえば、ボイス、音声）を電気または電子信号に変換するトランスデューサであり得る。追加または代替として、ワイヤレス通信デバイス１１７７は１つまたは複数のスピーカー１１８７を含み得る。一構成では、スピーカー１１８７は、電気または電子信号を音響信号に変換するトランスデューサであり得る。
【０１９４】
ワイヤレス通信デバイス１１７７の様々な構成要素は、パワーバス、制御信号バス、ステータス信号バス、データバスなどを含むことができ得る１つまたは複数のバスシステムによって一緒に結合され得る。簡単のために、図１１では様々なバスはバスシステム１１８９として示してある。
【０１９５】
上記の説明では、様々な用語とともに参照番号を時々使用した。用語が参照番号とともに使用されている場合、これは、１つまたは複数の図に示された特定の要素を指すものとされ得る。用語が参照番号なしに使用されている場合、これは、概して特定の図に限定されない用語を指すものとされ得る。
【０１９６】
「判断」という用語は、多種多様なアクションを包含し、したがって、「判断」は、計算、算出、処理、導出、調査、探索（たとえば、テーブル、データベースまたは別のデータ構造での探索）、確認などを含むことができる。また、「判断」は、受信（たとえば、情報を受信すること）、アクセス（たとえば、メモリ中のデータにアクセスすること）などを含むことができる。また、「判断」は、解決、選択、選出、確立などを含むことができる。
【０１９７】
「に基づいて」という句は、別段に明記されていない限り、「のみに基づいて」を意味しない。言い換えれば、「に基づいて」という句は、「のみに基づいて」と「に少なくとも基づいて」の両方を表す。
【０１９８】
本明細書で説明した機能は、１つまたは複数の命令としてコンピュータ可読媒体上に記憶され得る。「コンピュータ可読媒体」という用語は、コンピュータまたはプロセッサによってアクセスされ得る任意の利用可能な媒体を指す。限定ではなく、例として、そのような媒体は、ＲＡＭ、ＲＯＭ、ＥＥＰＲＯＭ、フラッシュメモリ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータまたはプロセッサによってアクセスされ得る、任意の他の媒体を備え得る。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。コンピュータ可読媒体は有形で非一時的であり得ることに留意されたい。「コンピュータプログラム製品」という用語は、コンピューティングデバイスまたはプロセッサによって実行、処理または計算され得るコードまたは命令（たとえば、「プログラム」）と組み合わせたコンピューティングデバイスまたはプロセッサを指す。本明細書で使用する「コード」という用語は、コンピューティングデバイスまたはプロセッサによって実行可能であるソフトウェア、命令、コードまたはデータを指すことがある。
【０１９９】
ソフトウェアまたは命令はまた、送信媒体を介して送信され得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、送信媒体の定義に含まれる。
【０２００】
本明細書で開示する方法は、説明した方法を達成するための１つまたは複数のステップまたはアクションを備える。本方法のステップおよび／または動作は、特許請求の範囲の範囲から逸脱することなく互いに交換され得る。言い換えれば、本明細書で説明する方法の適切な動作のためにステップまたはアクションの特定の順序が必要とされない限り、特定のステップおよび／またはアクションの順序および／または使用は、特許請求の範囲の範囲を逸脱することなく修正され得る。
【０２０１】
特許請求の範囲は、上記に示した正確な構成および構成要素に限定されないことを理解されたい。特許請求の範囲から逸脱することなく、本明細書で説明したシステム、方法、および装置の構成、動作および詳細において、様々な改変、変更および変形が行われ得る。
【図１】
2013535144.tif 000017
【図２】
2013535144.tif 000018
【図３】
2013535144.tif 000019
【図４】
2013535144.tif 000020
【図５】
2013535144.tif 000021
【図６】
2013535144.tif 000022
【図７】
2013535144.tif 000023
【図８】
2013535144.tif 000024
【図９】
2013535144.tif 000025
【図１０】
2013535144.tif 000026
【図１１】
2013535144.tif 000027
【国際調査報告】
2013535144.tif 000028
2013535144.tif 000029